(57)【特許請求の範囲】
【請求項１】
前面部に遊技領域を形成した遊技盤と、
前記遊技領域を前方から視認可能な状態としつつ、前記遊技盤を着脱可能な状態に保持する保持部を有するベース枠部材と、
所定の画像を表示するための表示画面を有する画像表示装置と、
を備える遊技機であって、
前記遊技盤が
透明な前方板状部と、
前記前方板状部の後方に配置され、前後に貫通する貫通部を具備する後方板状部と、
を積層して構成されると共に、
前記後方板状部のうちの少なくとも前記前方板状部を透して前記前方板状部の前方から視認可能な可視部位が、前記後方板状部の前方から前記後方板状部の後方を透視不可能な非透視部とされ、
前記画像表示装置の外周縁が、前記貫通部の開口縁の外側に位置し、
前記表示画面を前記貫通部によって前記遊技盤の前方から視認可能な状態としつつ、前記画像表示装置によって前記貫通部を後方から塞ぐ状態で、前記画像表示装置が前記後方板状部の後面部に固着され、
さらに前記遊技盤が、
前記前方板状部に設けられ、前記遊技領域を流下する遊技球が進入する進入孔と、
前記前方板状部の後方であって前記貫通部内で前記表示画面に近接する位置を通過するように設けられ、前記進入孔に進入した遊技球が通過する透明な通路部材と、
前記前方板状部に設けられ、前記通路部材を通過した遊技球を前記遊技領域に向けて排出する排出孔と、
を含んで構成される遊技球通路部を備える
ことを特徴とする遊技機。
【請求項２】
前記遊技盤の前面部において前記遊技領域内に位置する部位には、透明に構成されるとともに前記遊技盤の前面部から前方に突出して遊技球の流下経路を変更するための壁部を形成する流下経路変更部材が配設され、
前記流下経路変更部材を構成する壁部は、前記流下経路変更部材の側部を構成するとともに前記遊技領域を流下する遊技球を前記流下経路変更部材内に受け入れ可能なワープ孔を開口させた側壁部と、前記流下経路変更部材の下部を構成するとともに前記排出孔から排出される遊技球が到達するステージ部と、を含む構成とされ、
前記ワープ孔の出口部は、透明なワープ連絡部材を用いて前記進入孔に連絡され、
前記ステージ部は、前記排出孔から排出されて到達する遊技球を左右に転動させる転動面を上面部によって構成するとともに、前記転動面を転動した遊技球を前記ステージ部外に排出して前記遊技領域に戻す排出部を備えることを特徴とする請求項１に記載の遊技機。
【請求項３】
前記貫通部の横方向に沿った幅（Ｐ）と、前記遊技領域の横方向に沿った幅（Ｑ）の比（Ｐ／Ｑ）が、４／１０〜９／１０のうちの何れかとされ、
前記貫通部の縦方向に沿った幅（Ｒ）と、前記遊技領域の縦方向に沿った幅（Ｓ）の比（Ｒ／Ｓ）が、４／１０〜９／１０のうちの何れかとされることを特徴とする請求項１又は２に記載の遊技機。
【発明の詳細な説明】
【技術分野】
【０００１】
本発明は遊技機に関し、特に、いわゆるセブン機、羽根物、権利物又はアレンジボール等の弾球遊技機に適用されるものである。
【背景技術】
【０００２】
弾球遊技機は、例えば、（１）パチンコホールの島設備の設置部位に固定される外枠と、（２）この外枠の左右方向に沿った一側に開閉自在に取り付けられるベース枠部材（中枠と称する枠状の部材である。）と、（３）このベース枠部材の保持部によって、前面部を前方（つまり、遊技者の方向）に向けた状態で、しかも、着脱自在な状態に保持される遊技盤と、（４）遊技盤の前面部を覆うガラス板を具備するガラス扉枠（前面枠）と、（５）ベース枠部材（中枠）の前面部のうちで遊技盤の保持位置よりも下方側の部位に開閉自在に取り付けられると共に、遊技機内から排出される遊技球を貯留するための上皿部等を備えている。
【０００３】
この遊技盤の前面部には、「外側レールと内側レールとを備えるレール部材」が前方に突出する状態に配置される。つまり、遊技盤の前面部には、（Ａ）長尺な帯状板（一般には、金属製）を、開口部を下方若しくは側方に向けた略円弧形状（Ｃの字状）としつつ配置して構成される外側レールと、（Ｂ）外側レールの配置箇所の内側において、長尺な帯状板（一般には、金属製）を、開口部を上方に向けた略円弧形状（Ｃの字状）としつつ配置して構成される内側レールと、が配設される。
【０００４】
この遊技盤の前面部において、外側レールと内側レールとが、略円形若しくは、略楕円形に略取り囲む部位が遊技領域と称される。また、遊技盤の前面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、画像表示装置、障害釘等が配設されている。ここで、画像表示装置とは、遊技に関連する画像を表示するための表示装置であって、例えば、液晶表示装置によって構成される。
【０００５】
また、ベース枠部材の前方であって、遊技盤の下方の部位には、発射装置と、左上がり傾斜状の発射レールとが配置されている。そして、この弾球遊技機においては、発射装置から打ち出された遊技球が、発射レールに沿って上昇し、更に、誘導通路を経て遊技盤の左上部に導かれる。そして、この遊技球は、内側レールの左上端部と、外側レールの左上端部との間に形成される入口部を通じて遊技領域内に放出され、この遊技領域を流下する構成とされている。
【０００６】
更に、この種の弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果の確定表示等を行う判定結果表示手段と、を備えている。尚、（ａ）専用の表示装置（前述の画像表示装置とは別の表示装置の意味で用いる。）、若しくは、（ｂ）前述の画像表示装置が、「判定結果表示手段」として機能してもよいし、（ｃ）専用の表示装置及び画像表示装置の双方が、「判定結果表示手段」として機能してもよい。
【０００７】
この「判定結果表示手段」によって、大当り表示（当否判定の結果が、大当りであったことを示す表示）がなされると、遊技機の遊技状態が「通常遊技状態」から「大当り遊技状態」に移行する。そして、遊技機の遊技状態が「大当り遊技状態」に移行すると、「大入賞装置」の状態が、所定の態様に従って、「遊技球を受け入れ可能な状態」、若しくは、「遊技球を受け入れ容易な状態」に変化する。
【０００８】
ところで、この種の遊技機を、（１）不透明な素材（合板）を用いて構成される遊技盤を備える遊技機（以下、「一般型の遊技機」という。）と、（２）透明な素材（透明板）を用いて構成される遊技盤を備える遊技機（以下、「透明盤型の遊技機」という。）と、に大別することができる。このうち、前者の「一般型の遊技機」においては、ベース枠部材に遊技盤を保持するための保持部が設けられる。また、通常、遊技盤の略中央部には、遊技盤の前後面（表裏面）を貫通する取付孔が設けられ、この取付孔には、画像表示装置を内蔵する中央装置（センター役物）が組み付けられる。そして、この「一般型の遊技機」においては、中央装置が前方に向かって開放されているため、遊技者は、画像表示装置の表示領域部（表示画面）を、遊技盤の前方から直接的に視認することができる。
【０００９】
一方、後者の「透明盤型の遊技機」としては、遊技盤を、透明板を用いて構成すると共に、この遊技盤の後面部（裏面部）後方の所定間隔をおいた位置に、「画像表示装置」を配置する。そして、この「画像表示装置の表示領域部（表示画面）」を、透明な遊技盤を透かして、間接的に視認可能としたものが提案されている（「特許文献１」を参照、以下、「従来例」という。）。
【００１０】
つまり、この従来例では、画像表示装置が、「遊技盤と表面積が等しい略板状」に構成され、ベース枠部材の前面部側に遊技盤を保持するための保持部が設けられる。また、ベース枠部材の後面部側には、遊技盤の表面積と略等しい開口面積の開口部が設けると共に、画像表示装置を上方から差し入れ可能なレール部が設けられる。
【００１１】
この従来例では、画像表示装置がレール部に差し込まれると、画像表示装置の表示領域部（表示画面）が、「正面から見て（前方から見て）、開口部と重なる位置であって、しかも、開口部の後方の位置」に配置される。このため、この従来例によると、遊技者は、遊技領域を流下する遊技球の動きを視認しつつ、その後方の表示領域部（表示画面）を間接的に視認できる。
【特許文献１】特開２００５−１５２７７９号公報
【発明の開示】
【発明が解決しようとする課題】
【００１２】
この従来例では、「画像表示装置」を、ベース枠部材によって保持する構成を採用し、ベース枠部材の構造を、特別な構造（レール部等を備える特別な構造）とすることが必要となる。このため、この従来例によると、パチンコホールにおいて、「既設の遊技機を、他の機種の遊技機に交換する作業（以下、「機種変更」という。）」を、円滑に行うことができない場合がある。例えば、パチンコホールの所定の設置部位に設置される遊技機を、「一般型の遊技機」から、「透明盤型の遊技機」に変更する際には、遊技盤等の交換の他に、ベース枠部材の交換をも行うことが必要となるからである。
【００１３】
本発明は、このような問題を解決するためになされたものであり、その目的とするところは、「透明盤型の遊技機」において、「一般型の遊技機」と、ベース枠部材の共用を行うことである。
【００１４】
本発明の他の目的は、パチンコホールにおいて、「透明盤型の遊技機」への円滑な機種変更を可能とすることである。
【００１５】
本発明の更に他の目的は、「透明盤型の遊技機」を構成する遊技盤や、その構成部材の汎用性を高めることである。
【課題を解決するための手段】
【００１６】
請求項１に記載の遊技機は、
前面部に遊技領域を形成した遊技盤と、
前記遊技領域を前方から視認可能な状態としつつ、前記遊技盤を着脱可能な状態に保持する保持部を有するベース枠部材と、
所定の画像を表示するための表示画面を有する画像表示装置と、
を備える遊技機であって、
前記遊技盤が
透明な前方板状部と、
前記前方板状部の後方に配置され、前後に貫通する貫通部を具備する後方板状部と、
を積層して構成されると共に、
前記後方板状部のうちの少なくとも前記前方板状部を透して前記前方板状部の前方から視認可能な可視部位が、前記後方板状部の前方から前記後方板状部の後方を透視不可能な非透視部とされ、
前記画像表示装置の外周縁が、前記貫通部の開口縁の外側に位置し、
前記表示画面を前記貫通部によって前記遊技盤の前方から視認可能な状態としつつ、前記画像表示装置によって前記貫通部を後方から塞ぐ状態で、前記画像表示装置が前記後方板状部の後面部に固着され、
さらに前記遊技盤が、
前記前方板状部に設けられ、前記遊技領域を流下する遊技球が進入する進入孔と、
前記前方板状部の後方であって前記貫通部内で前記表示画面に近接する位置を通過するように設けられ、前記進入孔に進入した遊技球が通過する透明な通路部材と、
前記前方板状部に設けられ、前記通路部材を通過した遊技球を前記遊技領域に向けて排出する排出孔と、
を含んで構成される遊技球通路部を備える
ことを特徴とする。
請求項１の発明では、前方板状部の態様を限定した点（前方板状部全体を透明板で構成するの旨の構成に限定した点）が、後述する参考発明２と異なる。このため、請求項１の発明によると、後述する参考発明１及び参考発明２の効果に加え、以下の効果を得ることができる。つまり、前方板状部を、単一の透明板を用いて構成するため、遊技盤の構造の単純化を図ることができる。
ここで、請求項１の発明の可視部位とは、例えば、以下の部位を指す。つまり、後方板状部において、遊技盤の前面部に装着された盤部品に遮られることなく、前方板状部を透かして、遊技盤の前方から視認可能な部位が、可視部位である。また、請求項１の発明においても、後方板状部において、非透視部とされる部位を種々選択できる。例えば、後方板状部のうちで、可視部位のみが非透視部とされてもよいし、可視部位及びその周辺の部位（例えば、遊技領域の内側に位置する部位の全域）が、非透視部とされてもよい。更に、後方板状部の全域が、非透視部とされてもよい。
本明細書において参考的に開示する第１の参考発明（以下、「参考発明１」という。）の遊技機は、
前面部に遊技領域を形成した遊技盤と、
前記遊技領域を前方から視認可能な状態としつつ、前記遊技盤を着脱可能な状態に保持する保持部を有するベース枠部材と、
所定の画像を表示するための表示領域部を有する画像表示装置と、
を備える遊技機であって、
前記遊技盤が、
前方板状部と、
該前方板状部の後方に配置され、前後に貫通する貫通部を具備する後方板状部と、
を着脱可能に積層して構成されると共に、
前記前方板状部のうちの少なくとも前記貫通部の前方に位置する部位が、透明部とされ、
前記表示領域部を、前記貫通部によって前記遊技盤の前方から視認可能な状態としつつ、前記画像表示装置を前記後方板状部の後面部に固着したことを特徴とする。
【００１７】
参考発明１では、「前方板状部の後面部（裏面部）に、後方板状部を着脱自在に組み付けた積層体」を用いて遊技盤を構成する。そして、この遊技盤の後面部（裏面部）に画像表示装置を固着する。このため、参考発明１によると、遊技盤と、この遊技盤の後面部に一体化された画像表示装置と、を遊技機に組み込む際に、「特別な構造（レール部等を備える特別な構造）のベース枠部材」が必要とされない。換言すると、参考発明１によると、「透明盤型の遊技機を構成する遊技盤」と、「透明盤型の遊技機を構成する画像表示装置」とを、「一般型の遊技機を構成するベース枠部材」に対しても組み込むことができる。従って、参考発明１によると、「透明盤型の遊技機」において、「一般型の遊技機」と、ベース枠部材の共用を図ることができる。このため、参考発明１によると、パチンコホールにおいて、「機種変更」を、円滑に行うことができる。
【００１８】
尚、参考発明１によると、前方板状部及び後方板状部のうちの一方を、他の態様のものに取り換えることによっても、「機種変更」を行うことができる。この場合、前方板状部及び後方板状部のうちの他方を、「機種変更後の遊技盤を構成する部品」として、引き続き使用できる。よって、参考発明１によると、「透明盤型の遊技機」を構成する遊技盤や、その構成部材の汎用性を高めることもできる。
【００１９】
ここで、参考発明１では、前方板状部において透明部とされる部位を種々選択できる。例えば、前方板状部のうちで、貫通部の前方に位置する部位（貫通部の前方に位置合わせされる部位）のみが透明部とされてもよいし、貫通部の前方に位置する部位及びその周辺の部位（例えば、遊技領域の内側に位置する部位の全域）が、透明部とされてもよい。更に、請求項１の発明と同様に、前方板状部の全域が、透明部とされてもよい。
【００２０】
請求項２に記載の遊技機は、請求項１に記載の遊技機において、
前記遊技盤の前面部において前記遊技領域内に位置する部位には、透明に構成されるとともに前記遊技盤の前面部から前方に突出して遊技球の流下経路を変更するための壁部を形成する流下経路変更部材が配設され、
前記流下経路変更部材を構成する壁部は、前記流下経路変更部材の側部を構成するとともに前記遊技領域を流下する遊技球を前記流下経路変更部材内に受け入れ可能なワープ孔を開口させた側壁部と、前記流下経路変更部材の下部を構成するとともに前記排出孔から排出される遊技球が到達するステージ部と、を含む構成とされ、
前記ワープ孔の出口部は、透明なワープ連絡部材を用いて前記進入孔に連絡され、
前記ステージ部は、前記排出孔から排出されて到達する遊技球を左右に転動させる転動面を上面部によって構成するとともに、前記転動面を転動した遊技球を前記ステージ部外に排出して前記遊技領域に戻す排出部を備えることを特徴とする。
本明細書において参考的に開示する第２の参考発明（以下、「参考発明２」という。）の遊技機は、参考発明１の遊技機において、
前記後方板状部の前記貫通部の周辺に位置する箇所には、前記透明部を透して、前記前方板状部の前方から視認可能な可視部位が設けられると共に、
前記後方板状部のうちの少なくとも前記可視部位が、前記後方板状部の前方から前記後方板状部の後方を透視不可能な非透視部とされることを特徴とする。
【００２１】
参考発明２は、以下の目的でなされたものである。即ち、遊技機においては、遊技盤の後方に多数の部品（基板、基板ケース、配線等であって、以下、「裏部品」という。）が配置される。そして、これらの裏部品が、遊技盤の前方から（遊技者から）、視認可能とされると、遊技機の意匠性が低下する。このため、参考発明２では、後方板状部のうちの少なくとも可視部位を、非透視部とし、「裏部品の遊技盤の前方から視認」を不可能とすることで、遊技機の意匠性を確保している。
【００２２】
尚、参考発明２によると、前方板状部の転用（この「転用」とは、「他の透明盤型の遊技機への機種変更の際に、引き続き使用すること」を指す。）の促進を図ることができる。つまり、非透視部の外観（非透視部の色、非透視部に描かれる模様、非透視部に描かれる図形等）は、透明部を透して遊技盤の前方から視認され、遊技機の外観の一部を構成する。このため、他の透明盤型の遊技機への機種変更の際に、非透視部の外観を、当該遊技機のイメージに沿ったものに変更することが必要な場合がある。そして、この場合においても、参考発明２によると、前方板状部を引き続き使用することができるからである。
【００２３】
ここで、参考発明２の可視部位とは、例えば、以下の部位を指す。つまり、遊技盤の前面部（前方板状部の前面部）には、レール部材（内側レール及び外側レール）、入賞装置（大入賞装置、始動入賞装置、一般入賞装置）、通過ゲート、障害釘等の各種の盤部品が装着される。そして、後方板状部において、これらの盤部品に遮られることなく、透明部を透かして、遊技盤の前方から視認可能な部位が、可視部位として例示される。
【００２４】
また、参考発明２では、後方板状部において、非透視部とされる部位を種々選択できる。例えば、後方板状部のうちで、可視部位のみが非透視部とされてもよいし、可視部位及びその周辺の部位（例えば、遊技領域の内側に位置する部位の全域）が、非透視部とされてもよい。更に、後方板状部の全域が、非透視部とされてもよい。
【００２５】
参考発明２及び請求項１の発明において、非透視部の構成態様を種々選択できる。例えば、（ａ）後方板状部を基材部（例えば、後述の参考発明３のベース部材）と、その基材部の前面部の所定の部位（非透視部とすべき部位を、少なくとも含む部位）に装着される装飾シート（後述の参考発明３の装飾部材の一具体例を示する。）とで構成すると共に、装飾シートを不透明な構成とする態様や、（ｂ）後方板状部を基材部（例えば、後述の参考発明３のベース部材）のみで構成しつつも、その基材部の所定の部位（非透視部とすべき部位を、少なくとも含む部位）を、不透明な構成とする態様、等を例示できる。尚、前者（ａ）の態様においても、基材部の全域、若しくは、基材部の所定の部位（非透視部とすべき部位を、少なくとも含む部位）を、不透明な構成としてもよい。
【００２６】
尚、参考発明１においては、参考発明２と異なる態様で遊技機の意匠性を確保してもよい。例えば、前方板状部の後面部の所定の部位（少なくとも、可視部位の前方に位置する部位）に、不透明な装飾シートを装着し、遊技機の意匠性を確保してもよい。
【００３０】
ここで、各請求項の発明及び各参考発明において、前方板状部及び後方板状部の構成態様を種々選択できる。例えば、参考発明１及び参考発明２の透明部や、請求項１の発明の前方板状部を、透明な合成樹脂板（アクリル樹脂製の板、ポリカーボネート樹脂製の板等）や、透明なガラス板で構成する態様を例示できる。また、各請求項の発明及び各参考発明の後方板状部や、後方板状部を構成する基材部（後方板状部を基材部と、基材部の前面部に装着される装飾シートとで構成する場合）を、合成樹脂板、木製板、若しくは、金属板を用いて構成する態様を例示できる。
【００３１】
各請求項の発明及び各参考発明においては、前方板状部及び後方板状部の強度を同様に高くする態様｛（ａ）前方板状部及び後方板状部の剛性（曲げ剛性等）をともに高くする態様、（ｂ）前方板状部及び後方板状部の熱膨張率を小さくする態様、或いは、（ａ）及び（ｂ）の態様を同時に実現する態様）の他に、前方板状部よりも、後方板状部の強度を高くする態様を例示できる。具体的には、（１）後方板状部若しくは後方板状部を構成する基材部（後方板状部を基材部と、基材部の前面部に装着される装飾シートとで構成する場合）の剛性（曲げ剛性等）を、前方板状部の剛性（曲げ剛性等）よりも大きくする態様、（２）後方板状部若しくは後方板状部を構成する基材部（後方板状部を基材部と、基材部の前面部に装着される装飾シートとで構成する場合）の熱膨張率を、前方板状部の熱膨張率よりも小さくする態様、或いは、（１）及び（２）の態様を実現する態様を例示できる。つまり、後方板状部は、所定の重量を備える画像表示装置を保持することが必要であると共に、画像表示装置や裏部品（多くは、後方板状部の後面部や、その後方に配置され、各種の電子部品や、電源基板等を例示できる。）が発する熱に十分に耐えることが必要となる。しかも、前方板状部は、発熱を伴う画像表示装置や、発熱量の裏部品から離間した位置に配置される（つまり、少なくとも、後方板状部の板厚分だけ、離間した位置に配置される）。このため、後方板状部の方が、前方板状部に比べて、「強度を高くすべき要請」が高いと考えられ、上記（１）〜（３）の態様は、この要請を満足することになる。
【００３２】
本明細書において参考的に開示する第３の参考発明（以下、「参考発明３」という。）の遊技機は、参考発明１又は請求項１の発明の遊技機において、
前記後方板状部は、
略板状に構成されるベース部材と、
該ベース部材の前面部のうちで、少なくとも、前記可視部位を構成する部位に装着される装飾部材と、
を備えることを特徴とする。
【００３３】
参考発明３は、後方板状部の構成態様を具体的に例示するものである。この参考発明３によると、後方板状部を簡易な構成としつつも、装飾部材の作用で、遊技機の意匠性を確保することができる。ここで、参考発明３の装飾部材としては、「当該遊技機に関連するセル画（図柄）が描かれた装飾シート」を例示できる。また、参考発明３では、ベース部材の前面部において装飾部材が装着される部位を種々選択できる。例えば、ベース部材の前面部のうちで、可視部位を構成する部位のみに装着されてもよいし、可視部位を構成する部位及びその周辺の部位（例えば、遊技領域の内側に位置する部位の全域）に装着されてもよい。更に、ベース部材の前面部の全域に装着されてもよい。
【００３４】
請求項３に記載の遊技機は、請求項１又は２に記載の遊技機において、
前記貫通部の横方向に沿った幅（Ｐ）と、前記遊技領域の横方向に沿った幅（Ｑ）の比（Ｐ／Ｑ）が、４／１０〜９／１０のうちの何れかとされ、
前記貫通部の縦方向に沿った幅（Ｒ）と、前記遊技領域の縦方向に沿った幅（Ｓ）の比（Ｒ／Ｓ）が、４／１０〜９／１０のうちの何れかとされることを特徴とする。
【００３５】
請求項３の発明の遊技機によると、貫通部のサイズの好適化を図ることで、（１）「遊技盤の前方から貫通部を通じて視認される表示領域部（画像表示装置の表示画面）のサイズを大型すべき旨の要請」と、（２）「画像表示装置を、後方板状部の裏面部に安定的に固着すべき旨の要請」と、を同時に満足されることができる。つまり、請求項３の発明では、貫通部のサイズの下限値を規制し、貫通部を大型化するため、「遊技盤の前方から貫通部を通じて視認される表示領域部（画像表示装置の表示画面）」のサイズの大型化を図り、遊技者の遊技上の興趣を高めることができる。同時に、貫通部のサイズの上限値を規制し、後方板状部の裏面部において貫通部の周辺に位置する部位に、十分なサイズの「被固着箇所（画像表示装置が固着される箇所）」を確保するため、画像表示装置を、後方板状部の裏面部に安定的に固着することができる。
【００３６】
尚、各請求項の発明及び各参考発明においては、貫通部の開口形状と表示領域部（画像表示装置の表示画面）の平面形状が略一致し、貫通部の開口面積及び表示領域部（画像表示装置の表示画面）の表面積が略一致してもよいし、これらのうちの少なくとも一方が、不一致とされてもよい。例えば、貫通部の開口形状と表示領域部（画像表示装置の表示画面）の平面形状が略一致するが、貫通部の開口面積が表示領域部（画像表示装置の表示画面）の表面積よりも大きくされ、遊技盤の前方から、貫通部を通じて、表示領域部（画像表示装置の表示画面）の周縁部が視認可能とされてもよい。
【００３７】
本明細書において参考的に開示する第４の参考発明（以下、「参考発明４」という。）の遊技機は、参考発明１〜参考発明３のうちの何れかの発明に係る遊技機において、
前記画像表示装置の前面部には、前記表示領域部と、前記表示領域部を枠状に包囲する表示枠部とが設けられ、
該表示枠部を、前記後方板状部の後面部のうちで前記貫通部を包囲する部位に当接させつつ、前記画像表示装置を前記後方板状部の後面部に固着することを特徴とする。
【００３８】
参考発明４は、画像表示装置の後方板状部の後面部への固着態様の具体的に示すものであり、画像表示装置及び遊技盤の一体物のコンパクト化を図ることができる。
【００３９】
各請求項の発明及び各参考発明において、画像表示装置を直接、後方板状部の後面部に固着（接着固定、ネジ止め固定等）してもよいし、所定の取付具（ステー）等を用いて固着してもよい。また、各請求項の発明及び各参考発明の遊技機は、例えば、（ａ）外枠（所定の設置部位に設置される外枠）と、（ｂ）外枠の左右方向に沿った一側に開閉自在に取り付けられ上方側に保持部が形成されたベース枠部材（所謂、中枠」と、（ｃ）中枠の保持部に着脱自在に取り付けられる遊技盤と、（３）遊技盤の前面部を覆うガラス板を具備するガラス扉枠（前面枠）と、を備える。
【００４０】
各請求項の発明及び各参考発明の「画像表示装置」としては、液晶表示装置の他に、ＣＲＴ、ドットマトリックス、エレクトロルミネセンス、蛍光表示管等を用いた画像表示装置や、複数個のランプ装置を用いて構成される画像示装置等を例示できる。尚、各請求項の発明及び各参考発明の「画像表示装置」は、「当否判定」の結果を示す判定結果の確定表示等を行う判定結果表示手段として機能するか否かを特に問わない。つまり、（ａ）判定結果表示手段を、専用の表示装置（前述の画像表示装置とは別の表示装置）を用いて構成してもよいし、（ｂ）判定結果表示手段を、画像表示装置を用いて構成してもよい。更に、（ｃ）専用の表示装置及び画像表示装置の双方が、「判定結果表示手段」として機能してもよい。
【００４１】
各請求項の発明及び各参考発明において、前述の「判定結果表示」は、例えば、単一若しくは複数個のランプ装置を用いた点灯表示によって行ってもよいし、所定の識別図柄の停止図柄（単数の停止図柄であっても、複数の停止図柄からなる組み合わせ図柄であってもよい。）を用いて行ってよい。また、各請求項の発明及び各参考発明の「画像表示装置」や、他の表示手段（判定結果表示手段等）においては、「演出表示」を実行してもよい。この「演出表示」としては、例えば、単一若しくは複数個のランプ装置を用いた点滅させたり、複数個のランプ装置を順次、点灯させて行われる変動表示や、所定の識別図柄を用いて行われる変動表示（複数の識別図柄を順次、循環表示することを内容とする変動表示）を例示できる。また、この「演出表示」には、この変動表示と共に実行されるキャラクター演出表示（キャラクターを表示させつつ行われる演出表示）が含まれることもある。尚、「識別情報(識別図柄）」は、遊技者に情報を発するため、図柄表示装置に表示される図柄であって、例えば、図形、文字、模様若しくはこれらの組み合わせ等によって構成される。そして、本各発明の遊技機が、この「識別図柄（識別情報）」として、本図柄（後述する。）のみを用いてもよいし、この本図柄と共に演出専用図柄（疑似図柄であって、後述する。）を用いてもよい。
【００４２】
ここで、「本図柄」とは、遊技機において遊技の基本進行を司る「主制御部（後述する。）」において、その表示態様（少なくとも「停止図柄」と、「変動時間」）が決定される特別図柄である。一方、「疑似図柄」とは、「主制御部の制御の下で、遊技上の演出を制御する副制御部（後述する。）」によって、その変動態様と、停止図柄とが決定される「演出用の図柄」である。通常、この「疑似図柄」の変動表示は、本図柄と同一の時間だけ実行され、この「疑似図柄」の停止図柄の「表示内容（大当り、外れ等）」は、本図柄の停止図柄「表示内容（大当り、外れ等）」と矛盾を生じないものとされる。
【００４３】
各請求項の発明及び各参考発明の遊技機が、「本図柄」及び「疑似図柄」を表示する遊技機である場合、（１）「本図柄」及び「疑似図柄」を、各請求項の発明の「画像表示装置」によって表示してもよいし、（２）「本図柄」及び「疑似図柄」のうちの一方を各請求項の発明及び各参考発明の「画像表示装置」によって表示し、他方を、他の表示手段によって表示してもよい。また、判定結果表示手段が表示する特別図柄が、「本図柄」のみであるか、「本図柄」及び「演出図柄」であるかを問わず、各請求項の発明及び各参考発明の「画像表示装置」には、特別図柄以外の演出専用図柄（背景図柄、キャラクター図柄、ＴＶ画面等）が表示されてもよい。
【発明の効果】
【００４４】
以上記述したように各請求項によると、「透明盤型の遊技機」において、「一般型の遊技機」と、ベース枠部材の共用を行うことができる。
【発明を実施するための最良の形態】
【００４５】
以下、発明を実施するための最良の形態を示す実施例について図面に基づいて説明する。以下に示す各実施例では、各請求項に係る発明及び各参考発明を、「セブン機」と称する遊技機（パチンコ機）１に適用した各具体例について説明する。
【００４６】
尚、本明細書において、「左」とは、遊技者から見て「左」であることを示し 「右」とは「遊技者から見て「右」であることを示す。また、「前」及び「表」は、「遊技機１を基準とする前方（つまり、遊技者に近接する方向）」を示し、「後」及び「裏」は、遊技機１とする後方前方（つまり、遊技者から離間する方向）」を示す。更に、中枠３、上皿部５、前面枠４等の扉状部材の「左」、「右」、「前」、「後」等は、これらの扉状部材が使用状態にある場合、つまり、閉鎖された状態にある場合を基準としたものである。
【００４７】
（１）機械的な構造
ａ．遊技機の前面側の全体構造
先ず、この遊技機１の全体構造について、図１〜図６を参照して説明する。この遊技機１は、図１及び図２に示すように、外枠２と、この外枠２に装着された遊技機本体Ｈと、を備えている。
【００４８】
このうち、外枠２は、図３に示すように、パチンコホールの島設備Ｓに設けられた設置部位Ｓ１に固定されると共に、遊技機本体Ｈを支持するためのものである。この外枠２は、略矩形状の枠状体によって構成される外枠本体２１（図１及び２を参照）と、外枠本体２１の前面下部を覆う前板部２２と、を備えている。このうち、外枠本体２１は、上下に一対の水平板２１ａと、左右に一対の立設板２１ｂと、を備えている（図１を参照）。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００４９】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、中枠３と、前面枠（ガラス扉枠）４と、上皿部５と、下皿部６と、遊技盤１０（図７を参照）と、裏機構盤１０２（図２４を参照）等を主要部としている。
【００５０】
中枠３は、ベース枠部材の具体例を構成するものであり、図３に示すように、外枠２の内側に嵌めこまれ、外枠２に対して開閉可能に軸支されている。尚、中枠３の右端側には、施錠装置７が装着されている。この施錠装置７は、中枠３を外枠２に施錠したり、前面枠４や上皿部５を中枠３に施錠するために用いられる。
【００５１】
中枠３は、全体がプラスチック製であり、図４及び図５に示すように、枠状体によって構成されている。この中枠３は、上半部に窓部３Ａを備える枠本体部３ｂと、枠本体部３ｂの裏面部から略矩形枠状に突出する突出部３ｃとを備える。この突出部３ｃは、枠本体部３ｂの裏面部のうちで、枠本体部３ｂの周縁部よりも内側であって、窓部３Ａよりも外側の部位から突出している。そして、突出部３ｃの内側の壁面部３ｄと、枠本体部３ｂの裏面部のうちの窓部３Ａに周辺に位置すると共に壁面部３ｄよりも内側に位置する部位（以下、「窓部周辺部」という。）３ｅとが、略直交する状態とされる。
【００５２】
突出部３ｃの突端面であって、窓部３Ａの左方側の上下と、窓部３Ａの右方側の上下には、保持具３ｆが装着されている。この保持具３ｆは、突出部３ｃの突端面に軸心を略直交させた軸部材３ｇと、この軸部材３ｇによって支持された保持具本体３ｈとを備えている。この保持具本体３ｈは、軸部材３ｇの軸心回りに回転可能な状態とされ、その突端部３ｉ側を、窓部周辺部３ｅの後方に出没させることができる。つまり、保持具本体３ｈは、軸部材３ｇの軸心回りに回転することで、突端部３ｉ側を窓部周辺部３ｅの後方に配置させる保持状態（図４等を参照）と、突端部３ｉ側を窓部周辺部３ｅの後方から退避させる解除状態と、を実現することができる。
【００５３】
窓部周辺部３ｅにおいて、窓部３Ａの左端上方の位置と、窓部３Ａの右端上方の位置からは、位置決め用突起３ｋが、後方に向かって突出している。また、突出部３ｃの壁面部３ｄにおいて、窓部３Ａの左右に位置する複数の箇所には、位置決め用段部３ｍが設けられている（図４を参照）。
【００５４】
本実施例では、突出部３ｃの内側の壁面部３ｄと、枠本体部３ｂの「窓部周辺部」３ｅとで保持部の具体例を構成し、保持具３ｆによって遊技盤１０（詳細は後述する。）の保持状態を維持している。つまり、図５（ｂ）及び（ｄ）に示すように、遊技盤１０（詳細は後述する。）は、前面部１０ａを前方に向けた状態（後面部１０ｂを後方に向けた状態）で、保持部（３ｄ、３ｅ）に装着される。尚、この装着作業の際、保持具本体３ｈは解除状態とされる。そして、この装着により、遊技盤１０の前面部１０ａにおける上縁側の部位が、窓部周辺部３ｅにおいて、窓部３Ａの上方に位置する部位に当接する。また、遊技盤１０の前面部１０ａにおける右側縁側の部位が、窓部周辺部３ｅにおいて、窓部３Ａの右側方（中枠３を前方から見た場合の右側方）に位置する部位に当接し、遊技盤１０の前面部１０ａにおける左側縁側の部位が、窓部周辺部３ｅにおいて、窓部３Ａの左側方（中枠３を前方から見た場合の左側方）に位置する部位に当接する。
【００５５】
この際、遊技盤１０の上端側左右の位置決め用孔１０ｗに、対応する位置決め用突起３ｋが嵌合される｛図５（ｂ）を参照｝と共に、遊技盤１０の左右の側部に設けられた段部１０ｃが、位置決め用段部３ｍに嵌合し（図６を参照）、遊技盤１０が、保持部（３ｄ、３ｅ）に位置合わせされる。この保持具本体３ｈを保持状態とすると、この保持具本体３ｈによって、遊技盤１０の保持部（３ｄ、３ｅ）からの抜け止めが図られる｛図５（ｄ）を参照｝。これにより、遊技盤１０が、保持部（３ｄ、３ｅ）に保持される。そして、このように、中枠３が遊技盤１０を保持したとき、「遊技盤１０の前面部１０ａに構成される遊技領域１１」を、窓部３Ａによって、中枠３の前方から視認することができる（図７を参照）。また、遊技盤１０の背面部には、裏機構盤１０２（図２４参照）が装着され、この背面部を覆う状態とされている。尚、裏機構盤１０２の詳細に関しては後述する。
【００５６】
図７に示すように、中枠３の前面部３ａのうちで、窓部３Ａよりも下方側の部位（遊技盤１０よりも下方側の部位）には、遊技球を遊技盤１０に発射する発射装置（図示を省略）と、遊技球を発射ユニットに供給するための球送り装置（図示を省略）と、発射装置から発射された遊技球を外レール１４（後述する。）に向かって誘導する発射レールＹとが配設されている。尚、発射レールＹは、中枠３の下方側において、左方向に向かって上がり傾斜状に設けられている。
【００５７】
前面枠４は、ガラス扉枠の具体例を構成するものであり、図１に示すように、中枠３の前面側に配置され、中枠３の左端に開閉可能に支持されている。この前面枠４は、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【００５８】
扉枠本体４１は、レンズ状のプラスチックを主体に構成され、円形状の開口部４１ａを有している。この開口部４１ａは、扉枠本体４１の前面部及び後面部を貫通する状態に設けられている。そして、前面枠４を閉じた状態としたときに、前面枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図７参照）の形状に対応して、略円周状に開設されている。
【００５９】
図２に示すように、前面枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【００６０】
図１及び図２に示すように、前面枠４の上端部側の左右には、各々、スピーカーＳＰ１、ＳＰ２（図２６参照）が内蔵されている。また、本遊技機１においては、前板部２２の左右両端にも、スピーカーＳＰ３、ＳＰ４（図２６参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【００６１】
遊技機本体Ｈの前面部のうちで、前面枠３の下方の部位が、上皿部５と下皿部６とを備える構成とされている。つまり、上皿部５は、前面枠３の下方に配置され、下皿部６は上皿部５の下方に配置されている。また、上皿部５は、遊技機１の内部の遊技球を、この上皿部５に排出するための排出口５ｂ等を備えている。
【００６２】
尚、上皿部５の裏側には、球貸表示基板４１０（図２５参照）及び演出ボタン基板２２８（図２６参照）が設けられ、上皿部５の上面部には「球貸操作部５ｃ」と、操作スイッチＳＷとが配置されている。また、上皿部５の外郭部分も、レンズ状のプラスチックを主体され、上皿部５の内部にも、ＬＥＤ基板４ｉが内蔵されている（図２を参照）。
【００６３】
図１及び図２に示すように、下皿部６の略中央には、遊技機１の内部から遊技球を排出するための排出口６ａが設けられている。また、下皿部６の左端には灰皿６ｂが設けられ、下皿部６の右端には発射ハンドル９が設けられている。また、下皿部６の底面には球抜き孔（図示を省略）が設けられている。この球抜き孔は、通常時には、閉鎖されているが、下皿部６に貯留された遊技球を遊技機１から排出する際に開放状態とされる。
【００６４】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【００６５】
ｂ．遊技盤１０の構成
次に、遊技盤１０の構成について図７及び図８を中心にして説明する。この遊技盤１０は、前述のように、中枠３（図４を参照）の保持部（３ｄ、３ｅ）に保持されるとともに、後述する裏機構盤１０２（図２４参照）によりその背面側が覆われている。また、遊技盤１０の前面部には、ともに帯状の樹脂板（ＡＢＳ製の板）を用いて構成される外側レール１２と、内側レール１３とが配設されている。そして、遊技盤１０の前面部１０ａにおいて、この外側レール１２及び内側レール１３が形成する略楕円形の周壁によって構成される部位が、遊技領域１１を構成している。このため、本実施例では、遊技領域１１の外縁部の形状が略楕円形（長軸；４６２ｍｍ、短軸；４２４ｍｍ）とされるが、外縁部の形状は「略円形」等、の他の形状であってもよい。また、本実施例の外側レール１２は、「右側方に開口する略Ｕ字状の経路を描く、略帯状体」によって構成され、本実施例の内側レール１３は、「上方に開口する略Ｕ字状の経路を描く、略帯状体」によって構成されている。
【００６６】
遊技盤１０は、図８に示すように、前方板状部５００と、後方板状部６００と、を着脱可能に積層して構成される積層板を用いて構成されている。また、前方板状部５００及び後方板状部６００の平面形状（前方から視認した平面形状）は、何れも、遊技盤１０の平面形状（前方から視認した平面形状）と等しくされている。
【００６７】
前方板状部５００は、遊技盤１０の前面部１０ａの部位を構成する板状体であり、その前面部５００ａによって、遊技盤１０の前面部１０ａを構成する。また、この前方板状部５００は、透明な樹脂板を用いて構成され、図９に示すように、上端部の左右に位置決め孔５０１、５０１を貫通状（前面部５００ａ及び後面部５００ｂを貫通する状態）に備える。ここで、透明な樹脂板としては、「アクリル板（アクリル樹脂からなる板状体）」や、「ポリカーボネート板（ポリカーボネート樹脂からなる板状体）」等を例示できる。尚、「アクリル樹脂からなる板状体」とは、「メタクリル酸エステル（特に、メタクリル酸メチル）」、及び／又は、「アクリル酸エステル」を主成分として含有する（樹脂成分全体の５０重量％〜１００重量％含有する）樹脂からなる板状体を指す。また、「アクリル板（アクリル樹脂からなる板状体）」を用いた場合、例えば、「９０〜９２％の光透過率（可視領域での光透過率）」を得ること（クリスタルガラスに匹敵する光透過率を得ること）も可能なため、より好適な前方板状部５００を得ることができる。
【００６８】
図９に示すように、前方板状部５００の左右の端面には、複数の段部５０２が設けられている。また、前方板状部５００において遊技領域１１を構成する部位（以下、「遊技領域構成部」という。）５１１には、始動入賞球通過孔５０３ａと、大入賞球通過孔５０３ｂと、４つの一般入賞球通過孔５０３ｃ、５０３ｅ、５０３ｇ、５０３ｈと、アウト球通過孔５０３ｋと、が貫通状（前面部５００ａ及び後面部５００ｂを貫通する状態）に設けられている。
【００６９】
遊技領域構成部５１１の周縁部に沿った複数箇所には、レール固定穴５０３ｍ（図９において、「黒丸を白丸で囲む、２重丸表示」を用いて図示）が、前面部５００ａで開口する状態に設けられている。また、遊技領域構成部５１１の適所には、盤部品固定穴５０３ｎ（図９において、「黒丸の表示」を用いて図示）が、前面部５００ａで開口する状態に設けられている。尚、遊技領域構成部５１１には、障害釘（ビス状であっても、雄ネジ状であってもよい。）を、遊技領域構成部５１１に打ち込む際に使用される案内穴（下穴）が前面部５００ａで開口する状態に設けられているが、図８及び図９等においては、図示を省略する。
【００７０】
遊技領域構成部５１１の上下方向中間部の左右には、ワープ進入孔５０３Ｒ、５０３Ｓが、貫通状（前面部５００ａから後面部５００ｂに下り傾斜状に貫通する状態）に設けられている（図８においては図示を省略）。また、遊技領域構成部５１１において、各ワープ進入孔５０３Ｒ、５０３Ｓの直下の部位には、ワープ排出孔５０３Ｔ、５０３Ｕが、貫通状（後面部５００ｂが前面部５００ａに下り傾斜に貫通する状態）に設けられている。
【００７１】
本実施例では、図１０に示すように、前述の外側レール１２と内側レール１３を、前方板状部５００に対してネジ止め固定している。つまり、外側レール１２及び内側レール１３は、何れも、長尺な略帯状に構成されたレール本体７００と、このレール本体７００の後端面（遊技盤１０の前面部１０ａと対向する面である。）から突出する固定用突起７１０とを備える。
【００７２】
この固定用突起７１０は、突端部で開口する固定孔７１１を備えており、この固定孔７１１内には雌ネジ部７１２が設けられている。そして、図１０（ａ）に示すように、外側レール１２及び内側レール１３の各固定用突起７１０を、対応関係にあるレール固定穴５０３ｍに対して、前方板状部５００の前面部５００ａの側から嵌合する。そして、前方板状部５００の後面部５００ｂの側から、固定孔７１１に対して、雄ネジ（ビス）７７０を螺合すると、外側レール１２及び内側レール１３の前方板状部５００への固定作業を完了する。
【００７３】
後方板状部６００は、図８、図１０（ｂ）及び図１１に示すように、遊技盤１０の後面部側の部位を構成する板状体であり、その後面部６００ｂによって、遊技盤１０の後面部１０ｂを構成する。また、この後方板状部６００は、ベース部材６１０と、ベース部材６１０の前面部６１０ａに装着された装飾シート６２０と、を備えている。また、図１１に示すように、後方板状部６００の上端部の左右にも、位置決め孔６０１、６０１が貫通状（前面部６００ａ及び後面部６００ｂを貫通する状態）に備える。尚、図１１においては、装飾シート６２０を、「一点鎖線を用いたハッチング表示」を用いて表現している。
【００７４】
図１１に示すように、後方板状部６００の左右の端面にも、複数の段部６０２が設けられている。更に、後方板状部６００のうちで、遊技領域構成部５１１の後方に配置される部位（以下、「遊技領域後方部」という。）６０５Ｂには、始動入賞球通過孔６０３ａと、大入賞球通過孔６０３ｂと、４つの一般入賞球通過孔６０３ｃ、６０３ｅ、６０３ｇ、６０３ｈと、アウト球通過孔６０３ｋと、が貫通状（前面部６００ａ及び後面部６００ｂを貫通する状態）に設けられている。
【００７５】
図１２に示すように、後方板状部６００の後面部６００ｂ（ベース部材６１０の後面部６１０ｂ）において、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）が開口する部位には、遊技球案内用のリブ６０３ｒが突出している。尚、図示を省略するが、後方板状部６００の後面部６００ｂ（ベース部材６１０の後面部６１０ｂ）には、遊技球集合部材が装着されている。そして、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）を通じて、後方板状部６００の後方（遊技盤１０の後方）に到達する遊技球が、遊技球集合部材の端末部（遊技球の通過方向に沿った端末部）に導かれる。
【００７６】
ベース部材６１０は、後方板状部６００の基材部を構成し、後方板状部６００の強度を決定づける部材であり、剛性の高い、不透明な樹脂板（例えば、ＡＢＳ製の板等）を用いて構成されている。尚、本実施例では、後方板状部６００の基材部を、剛性が高く、熱膨張率の低い素材で構成するため、後方板状部６００及び前方板状部５００は、剛性が高く、しかも、熱膨張率が低くされている。
【００７７】
ベース部材６１０の略中央部には、略矩形状の貫通部６１１が、貫通状に（ベース部材６１０の表面部６１０ａと、裏面部６１０ｂとを貫通する状態に）設けられている（図１５及び図１６を参照）。この貫通部６１１は、後方板状部６００の貫通部を構成するものである。ここで、図１１に示すように、本実施例において、この貫通部６１１のサイズが以下のように定められている。つまり、貫通部６１１の横方向に沿った幅（Ｐ）は、約３３７．５ｍｍとされ、貫通部６１１の縦方向に沿った幅（Ｒ）は、約２７２．３ｍｍとされている。一方、本遊技機１を構成する遊技盤１０の遊技領域１１の縦方向に沿った幅の最大寸法（Ｓ）は約４６２ｍｍとされ、遊技領域１１の横方向に沿った幅の最大寸法（Ｑ）は約４２４ｍｍとされている。
【００７８】
このため、比（Ｐ／Ｑ）は約０．８０とされ、比（Ｒ／Ｓ）は約０．５９とされている。換言すると、ベース部材６１０の貫通部６１１の開口面積は、遊技領域１１の全面積の約６０％とされている。このように、このベース部材６１０では大型の貫通部６１１を設けているが、ベース部材６１０の後面部６１０ｂの面積（貫通部６１１を除く、後方側の部位）が、十分に確保されている。尚、後述する中央表示装置２７（画像表示装置である。）が固着される被固着部位は、この後面部６１０ｂから選択される。また、ベース部材６１０には、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）を構成するための貫通孔（前面部６１０ａ及び後面部６１０ｂを貫通する状態の貫通孔）が設けられている。
【００７９】
ベース部材６１０においては、「盤部品（後述する始動入賞装置１７、下部装置３０、左下表示装置５０、右下表示装置６０、一般入賞装置４０、４１、４３、４４等）の後方の部位を除く略全域」が、前方板状部５００の前方から視認可能な「可視部位」とされている。但し、ベース部材６１０が不透明な樹脂板であるばかりか、この「可視部位」の全域を装飾シート６２０が被覆するため、後方板状部６００の「可視部位」は、「後方板状部６００の前方から後方板状部６００の後方を視認することができない、非透視部位」とされている。
【００８０】
装飾シート６２０は、ベース部材６１０の前面部６１０ａのうちで、貫通部６１１と、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）の形成箇所を除く、略全域に貼着されている。この装飾シート６２０は、樹脂製のシート基材に、図柄（例えば、「太陽の図形と、月の図形とを用いたセル画」）を印刷して構成されるものである。尚、本実施例では、装飾シート６２０が、遊技盤１０の表面部１０ａに配置されず、この装飾シート６２０上を遊技球が転動しないため、装飾シート６２０に経時的な劣化を生じないか、この経時的な劣化の度合いが少なくなる。
【００８１】
遊技盤１０の構成部材（前方板状部５００、ベース部材６１０、装飾シート６２０）は以下のように組み付けられる。先ず、前方板状部５００に外側レール１２及び内側レール１３を固定すると共に、ベース部材６１０の表面部６１０ａのうちで、貫通部６１１と、「盤部品（後述する始動入賞装置１７、下部装置３０、左下表示装置５０、右下表示装置６０、一般入賞装置４０、４１、４３、４４等）の後方の部位」とを除く略全域に装飾シート６２０を貼着する。次いで、前方板状部５００の後面部５００ｂと、後方板状部６００の前面部６１０ａとを、面当接させ、前方板状部５００及び後方板状部６００を積層すると、遊技盤１０が完成する。
【００８２】
この積層に際しては、前方板状部５００の左右の位置決め孔５０１、５０１と、後方板状部６００の左右の位置決め孔６０１、６０１とが前後に位置合わせされ、前後に連通する。そして、この連通する左右、２組の位置決め孔５０１、６０１によって、遊技盤１０の位置決め用孔１０ｗ、１０ｗが完成する。また、この積層により、前方板状部５００の各通過孔（始動入賞球通過孔５０３ａ、大入賞球通過孔５０３ｂ、一般入賞球通過孔５０３ｃ、５０３ｅ、５０３ｇ、５０３ｈ、アウト球通過孔５０３ｋ）と、後方板状部６００の対応する各通過孔（始動入賞球通過孔６０３ａ、大入賞球通過孔６０３ｂ、一般入賞球通過孔６０３ｃ、６０３ｅ、６０３ｇ、６０３ｈ、アウト球通過孔６０３ｋ）と、が前後に位置合わせされ、前後に連通する。
【００８３】
前方板状部５００の各段部５０２も、ベース部材６１０の対応する段部６１２と位置合わせされ、遊技盤１０の段部１０ｃが完成する。また、左側のワープ進入孔５０３Ｒの出口部５０３１Ｒは、貫通部６１１の左端側上方部において後方に開口し、左側のワープ排出孔５０３Ｔの入口部５０３１Ｔは、貫通部６１１の左端側上方部において後方に開口する（図１６を参照）。また、右側のワープ進入孔５０３Ｓの出口部５０３１Ｓは、貫通部６１１の右端側上方部において後方に開口し、右側のワープ排出孔５０３Ｕの入口部５０３１Ｕは、貫通部６１１の右端側下方部において後方に開口する（図１５を参照）。
【００８４】
図７に示すように、以上の遊技盤１０の前面部１０ａにおいて遊技領域１１内に位置する部位には、流下経路変更部材２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車（図示を省略）等が配設されている。また、図８に示すように、遊技盤１０に裏面部１０ｂ（後方板状部６００の裏面部６００ｂ）には、中央表示装置２７が固着されている。更に、遊技盤１０を前後に縦断する状態で、ワープ部材７０、７０が配設されている。
【００８５】
流下経路変更部材２０は、透明な樹脂を用いて構成されると共に、貫通部６１１の外縁部の前方で、しかも、この外縁部よりも内側の部位に装着されている。この流下経路変更部材２０は、図１３に示すように、遊技盤１０の前面部１０ａから前方に突出する壁部２１（遊技球の流下経路を変更するための壁部）を形成するための部材である。この流下経路変更部材２０は、樹脂を用いて構成されると共に枠形状を備えている。また、この流下経路変更部材２０は、図１３及び図１４に示すように、前面部１０ａから前方に突出する状態に配置される壁部２１と、壁部２１の基端部から突出し、前面部１０ａに沿った方向に配置される取付代２２とを備えている。そして、この取付代２２を、対応する盤部品固定穴５０３ｎを利用しつつ、遊技盤１０の前面部１０ａにネジ止めすることで、この流下経路変更部材２０は、遊技盤１０に装着されている。
【００８６】
壁部２１は、上部を位置する庇部２１ａと、左右に位置する側壁部２１ｂ、２１ｃと、下部に位置するステージ部２１ｄとを備えている。このうち、庇部２１ａは、その上面部が、左右方向中間部から左右両端に下る「下り傾斜面」を形成している。このため、庇部２１ａの上面部に到達した遊技球は、この上面部に沿って、庇部２１ａの左右一方の端部側に転動するものとされている。
【００８７】
ステージ部２１ｄの突端部からは、「落下防止壁２１ｅ」が上方に向かって延設されている。また、このステージ部２１ｄは、その上面部によって、遊技球の転動面を構成する。この転動面は、「左右の端部から中央部に向かって下る傾斜面」として構成されている。そして、落下防止壁２１ｅの左右方向に沿った中央部には、ステージ部２１ｄの上面部（転動面）上の遊技球を、ステージ部２１ｄの外部に排出するための排出通路２１ｆが設けられている。尚、本実施例では、ステージ部２１ｄの上面部（転動面）に進入した遊技球は、上面部（転動面）上を左右に転動する。そして、遊技球の勢いを衰えたところで、この遊技球は、排出通路２１ｆを通過してステージ部２１ｄ外に排出されるか、或いは、「ステージ部２１ｄの上面部（転動面）において、落下防止壁２１ｅが低くされた部位」から、ステージ部２１ｄ外に排出される。尚、排出通路２１ｆの出口部の直下に、後述する始動入賞装置１７が位置している。
【００８８】
左側の側壁部２１ｂは、左方向に入口部を開口させ、右方向に出口部を開口させたワープ孔２１ｈを備えている。そして、図１６に示すように、このワープ孔２１ｈの出口部は、略管状のワープ連絡部材２１ｉ（透明な樹脂を用いて構成される。）を用いて、左側のワープ進入孔５０３Ｒに連絡されている（図１６を参照）。更に、この左側のワープ進入孔５０３Ｒの出口部５０３１Ｒは、左側のワープ部材７０（透明な樹脂を用いて構成される。）を用いて、左側のワープ排出孔５０３Ｔの入口部５０３１Ｔに連絡されている。更に、この「左側のワープ排出孔５０３Ｔの出口部」は、ステージ部２１ｄの上面部（転動面）の左端側に連絡されている。この左側のワープ部材７０は略管状に構成され、その中間部が、貫通部６１１内に進入している。
【００８９】
つまり、遊技盤１０には、左側のワープ進入孔５０３Ｒと、左側のワープ連絡部材２１ｉと、左側のワープ部材７０と、左側のワープ排出孔５０３Ｔとを用いて構成される「ワープ通路（「遊技領域１１に存在する遊技球を、一端、遊技領域１１の後方に搬送し、再び、遊技領域１１に戻す通路」の意味で用いる。）」の中間部が、貫通部６１１内に進入すると共に、表示画面２７ａに近接する位置を通過している。即ち、左側の側壁部２１ｂの左側方に到達し、しかも、ワープ孔２１ｈに進入した遊技球は、左側のワープ連絡部材２１ｉを通過した後、左側のワープ進入孔５０３Ｒ、左側のワープ部材７０、左側のワープ排出孔５０３Ｔの順に通過する。この後、左側のワープ排出孔５０３Ｔの出口部からステージ部２１ｄの上面部（転動面）の左端側に到達する。更に、この左側のワープ通路（５０３Ｒ、２１ｉ、７０、５０３Ｔ）の内部が視認可能とされ（流下経路変更部材２０、ワープ連絡部材２１ｉ、ワープ部材７０が透明であるから）、遊技者は、このワープ通路（５０３Ｒ、２１ｉ、７０、５０３Ｔ）の内部を通過する遊技球を視認可能である。加えて、左側のワープ部材７０を通過する際に、遊技球は、貫通部６１１内を通過する。このため、本実施例では、「遊技球が、本遊技機１のうちで遊技者が特に注視する部位（表示画面２７ａ）の近傍を通過すること」を、左側のワープ部材７０を透かして視認することが可能である。
【００９０】
右側の側壁部２１ｃは、右方向に入口部を開口させ、左方向に出口部を開口させたワープ孔２１ｐを備えている。そして、図１５に示すように、このワープ孔２１ｐの出口部は、略管状のワープ連絡部材２１ｋ（透明な樹脂を用いて構成される。）を用いて、右側のワープ進入孔５０３Ｓに連絡されている。更に、この右側のワープ進入孔５０３Ｓの出口部５０３１Ｓは、右側のワープ部材７０（透明な樹脂を用いて構成される。）を用いて、右側のワープ排出孔５０３Ｕの入口部５０３１Ｕに連絡されている。更に、この「右側のワープ排出孔５０３Ｕの出口部」は、ステージ部２１ｄの上面部（転動面）の右端側に連絡されている。この右側のワープ部材７０も、略管状に構成され、その中間部が、貫通部６１１内に進入している。
【００９１】
つまり、遊技盤１０には、右側のワープ進入孔５０３Ｓと、右のワープ連絡部材２１ｋと、右側のワープ部材７０と、右側のワープ排出孔５０３Ｕとを用いて構成される「ワープ通路」の中間部が、貫通部６１１内に進入すると共に、表示画面２７ａに近接する位置を通過している。即ち、右側の側壁部２１ｃの右側方に到達し、しかも、この側壁部２１ｃのワープ孔２１ｐに進入した遊技球は、右側のワープ連絡部材２１ｋ、右側のワープ進入孔５０３Ｓ、右側のワープ部材７０、右側のワープ排出孔５０３Ｕの順に通過する。この後、右側のワープ排出孔５０３Ｕの出口部からステージ部２１ｄの上面部（転動面）の右端側に到達する。更に、この右側のワープ通路（５０３Ｓ、２１ｋ、７０、５０３Ｕ）の内部も、視認可能とされ（流下経路変更部材２０、ワープ連絡部材２１ｋ、ワープ部材７０が透明であるから）、遊技者は、このワープ通路（５０３Ｓ、２１ｋ、７０、５０３Ｕ）の内部を通過する遊技球を視認可能である。加えて、右側のワープ部材７０を通過する際にも、遊技球は、貫通部６１１内を通過する。このため、本実施例では、「遊技球が、本遊技機１のうちで遊技者が特に注視する部位（表示画面２７ａ）の近傍を通過すること」を、右側のワープ部材７０を透かして視認することも可能である。
【００９２】
中央表示装置２７は、「画像表示装置」の具体例を構成すると共に液晶表示装置を用いて構成されている。この中央表示装置２７の前面部には、図１５〜図１７に示すように、表示画面２７ａと、この表示画面２７ａを枠状に包囲する表示枠部２７ｇとが設けられている。ここで、表示画面２７ａは、表示領域部の具体例を構成する。そして、この中央表示装置２７は、表示枠部２７ｇの前面部を後方板状部６００の後面部６００ｂのうちで、貫通部６１１を包囲する部位に当接させつつ、この後面部６００ｂに固着されている。尚、本実施例の中央表示装置２７（液晶表示装置）は、「前面部側に表示画面２７ａを備える液晶パネル」を含む構成とされば足り、当該「液晶パネル」以外の部材（駆動回路等）を一体的に備えるか否かを特に問わない。つまり、この各請求項の発明及び各参考発明の「画像表示装置」の具体例を構成する液晶表示装置は、「表示用の本体部（液晶パネルを含む部分）を主体とする装置（駆動回路等を含まない装置）」として構成されてもよいし、表示用の本体部（液晶パネルを含む部分）と、他の部材（駆動回路等）とを含む装置として構成されてもよい。換言すると、少なくとも、「表示用の本体部（液晶パネルを含む部分）」を含む装置であればよい。この場合、例えば、この液晶パネルを、表示領域部（表示画面２７ａを構成する部位）と、この表示領域部を枠状に包囲する表示枠部と、を備える構成とする。そして、この液晶パネルの前面部（表示枠部の前面部）を、後方板状部６００の後面部６００ｂのうちで貫通部６１１を包囲する部位に当接させつつ、この液晶パネルを後方板状部６００の後面部６００ｂに固着してもよい。
【００９３】
本実施例では、図１７に示すように、この中央表示装置２７の固着のために、略Ｌ字のステー２７ｈと、取付用のビス２７ｉとを用いている。そして、このように、中央表示装置２７の固着すると、表示画面２７ａの外縁部と、貫通部６１１の内縁部とが、前後に位置合わせされる。このため、遊技盤１０の前方の遊技者は、前方板状部５００を透かして、表示画面２７ａの全域を視認することができる（図７及び図１８等を参照）。但し、本実施例では、表示画面２７ａのサイズを「１７インチ」としている。尚、各請求項の発明及び各参考発明では、表示画面２７ａのサイズは特に問わないが、「１０インチ」〜「２０インチ」の間で選択することが好ましく、「１５インチ」〜「１７インチ」の間で選択することが特に好ましい。
【００９４】
この中央表示装置２７は、後述する右下表示装置６０と同様に、判定結果図柄を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、本実施例と異なり、単一の図柄表示装置によって、本図柄の表示と、疑似図柄の表示とを行ってもよい。また、各請求項の発明及び各参考発明の遊技機１は、本図柄の表示のみを行い、疑似図柄の表示を行わないものであってもよい。
【００９５】
中央表示装置２７の表示画面２７ａは可変状態に用いられ、その全体、若しくは、一部を用いて種々の図柄を表示可能である。この表示画面２７ａには、図１８（ａ）に示すように、３つの疑似図柄表示部２７ｂ〜２７ｄと、その他の部分で構成される背景画面表示部２７ｈとが出現することがある。この場合、この疑似図柄表示部２７ｂ〜２７ｄは、表示画面２７ａにおいて横方向に３つ並んで配置される。尚、以下の説明において、遊技者から見て左側の疑似図柄表示部２７ｂを「左疑似図柄表示部２７ｂ」と称し、遊技者から見て中央の疑似図柄表示部２７ｃを「中疑似図柄表示部２７ｃ」と称すると共に、遊技者から見て右側の疑似図柄表示部２７ｄを「右疑似図柄表示部２７ｄ」と称する。
【００９６】
このように出現する各疑似図柄表示部２７ｂ〜２７ｄでは、「疑似図柄」を用いた変動表示（順次、変更される疑似図柄の表示）と、停止表示（停止した疑似図柄の表示）等がなされる。また、表示画面２７ａに疑似図柄表示部２７ｂ〜２７ｄが表示されるときには、この表示画面２７ａのその他の部位によって背景画面表示部２７ｈが表示される。そして、この背景画面表示部２７ｈには、背景を示す図柄（以下、背景図柄という。）を表示したり、この背景画面と共にキャラクタを示す図柄（以下、キャラクター図柄という。）を表示することができる。尚、表示画面２７ａにおける具体的な表示態様に関しては後述する。
【００９７】
普通図柄作動ゲート（普通図柄作動口）１６は、図７に示すように、遊技領域１１において、流下経路変更部材２０の両脇に位置する部位に配設されている。また、この普通図柄作動ゲート（普通図柄作動口）１６内には普通図柄作動ゲート通過検出スイッチ１６ｓ（図２５参照）が配設されている。そして、普通図柄作動ゲート通過検出スイッチ１６ｓを遊技球が通過することを前提に、「普通図柄の変動開始条件（つまり、普通図柄変動開始条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【００９８】
始動入賞装置１７は、前後に連通する２つの始動入賞球通過孔５０３ａ、６０３ａの前方に位置する部位に配設されている。そして、図７に示すように、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路２４ｃの出口部２４ｅの直下に位置するため、排出通路２４ｃを通過した遊技球は、この第１の始動口を通じて、始動入賞装置１７に入賞する確率が高くされている。
【００９９】
第２の始動入賞部１７ｂは、第１の始動入賞部１７ａの直下に位置すると共に、入口側部分に、普通電動役物１７ｄが配置されている。この普通電動役物１７ｅは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図２５参照）を備えている。そして、この一対の翼片部が左右に開くと、遊技球の入球可能性が大きくなる開放状態となり、一対の翼片部が立設され、遊技球の入球可能性が小さくなる通常状態となる。
【０１００】
始動入賞装置１７の内部には、第１の始動入賞部１７ａ、若しくは、第２の始動入賞部１７ｂを遊技球の通過を検出する始動入賞検出スイッチ１７ｓ（図２５参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【０１０１】
図７に示すように、下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、前後に連通する２つの大入賞球通過孔５０３ｂ、６０３ｂと連通している。尚、この２つの大入賞球通過孔５０３ｂ、６０３ｂによって、「大入賞口３１ａから入賞する遊技球を通過させるための大入賞口入賞通路（図示を省略）」が構成される。
【０１０２】
そして、可変入賞装置（大入賞装置）３１は、この大入賞口３１ａを開放・閉鎖するための開閉板３１ｂと、この開閉板３１ｂを駆動するための大入賞口ソレノイ板３１ｃ（図２５参照）と、大入賞口入賞通路の経路途中若しくは経路端末部に設けられた入賞球検出スイッチ３１ｓ（図２５参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１０３】
左下表示装置５０は、図７に示すように、可変入賞装置（大入賞装置）３１の左側方に配置されている。この左下表示装置５０は、図２０（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１０４】
普通図柄保留表示部５２は、図２０（ａ）に示すように、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【０１０５】
特別図柄保留表示部５３も、図２０（ａ）に示すように、２個のＬＥＤを用いて構成され、所謂「特別図柄に関する保留数」を、４個を上限として表示するものである。つまり、「始動入賞装置１７に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【０１０６】
尚、本実施例では、「遊技球が、普通図柄作動ゲート（普通図柄作動口）１６を通過すること条件に、主制御部２００Ａによって実行される判断、つまり、普通電動役物１７ｅを開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１を開放を許容するか否かの判断（遊技機の遊技状態を、可変入賞装置３１を閉鎖状態に維持する通常遊技状態から、可変入賞装置３１の開閉を行う特別遊技状態にすべきか否かの判断）を、「当否判定」と称する。
【０１０７】
普通図柄保留表示部５２及び特別図柄保留表示部５３においては、同様な態様で、保留数の表示を行う。つまり、図２０（ｂ）に示すように、２個ＬＥＤを消灯させることで、「保留数」が「ゼロ個」であることを示す。また、１個のＬＥＤを点灯させ、１個のＬＥＤを消灯させることで、「保留数」が「１個」であることを示す。更に、２個のＬＥＤを点灯させることで、「保留数」が「２個」であることを示す。また、１個のＬＥＤを点滅させ、１個ＬＥＤを点灯させることで、「保留数」が「３個」であることを示す。更に、２個のＬＥＤを点滅させることで、「保留数」が「４個」であることを示す。
【０１０８】
遊技状態表示部５５は、２個のＬＥＤ５５ａ、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、図２１（ａ）に示すように、一方のＬＥＤ５５ａを点灯させ、他方のＬＥＤ５５ｂを消灯させて、「遊技機１の現在の遊技状態が確変遊技状態である」旨が表示される。更に、図２１（ｂ）に示すように、一方のＬＥＤ５５ａを消灯させ、他方のＬＥＤ５５ｂを点灯させて、「遊技機１の現在の遊技状態が確変遊技状態である」旨が表示される。
【０１０９】
ここで、本実施例では、遊技機１の遊技モードが、通常遊技モードから確変モードになると、確変手段（特別図柄の当否判定において、大当り判定がなされる確率を高く設定することを内容とする手段）と、開放延長手段（普通電動役物１７ｅの開放時間を長くしたり、開放回数が多く設定することを内容とする手段）とが作動する。そして、遊技機１の遊技モードが、確変モードから時短モードになると、確変手段は作動を停止し、時短手段（特別図柄や普通図柄の変動時間を短く設定することを内容とする手段）が作動を開始する。更に、遊技機１の遊技モードが、確変モードから通常遊技モードに戻されると、時短手段と、開放延長手段は作動を停止する。尚、本実施例では、確変手段の作動時に、確変手段は、「特別図柄の当否判定において、大当り判定がなされる確率を高く設定すること」に加えて、「特別図柄や普通図柄の変動時間を短く設定すること」も行う。つまり、遊技機１が実行する「確変モード」は、実質的に、時短モードをも実行するモードと言える。但し、本実施例では、確変モードが解除された後であって、時短手段と、開放延長手段とが作動している場合のみを「時短モード」と称することとする。
【０１１０】
普通図柄表示部５６は、１個のＬＥＤ５６ａを用いて構成され、前述の如く、「普通図柄作動ゲート（普通図柄作動口）１６に伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部５６は点滅表示を開始する。そして、「当否抽選に関する結果の表示」の実行時期が到来すると（換言すると、普通図柄の変動時間を終了すると）、普通図柄表示部５６を用いて、「当否抽選に関する結果」の確定表示がなされる。具体的には、図２１（ｃ）に示すように、ＬＥＤ５６ａを点灯状態とすることで、当該「当否判定に関する結果」が当り（普通図柄に関する当否抽選の結果が当り）であることが確定表示され、ＬＥＤ５６ａを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｅ（後述する。）が、所定時間（例えば、０．５秒）開放駆動される。
【０１１１】
本実施例では、このように、ＬＥＤ５６ａを点灯状態としたり、消灯状態とすることで、普通図柄の確定表示を示し、ＬＥＤ５６ａを点滅状態とすることで、普通図柄の変動表示を示する。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄の表示を行うこともできる。
【０１１２】
右下表示装置６０は、図７に示すように、可変入賞装置（大入賞装置）３１の右側方に配置されている。この右下表示装置６０は、図２２（ａ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１１３】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、図２２（ｂ）に示すように、特別図柄表示部６２は、「７個のＬＥＤ６２ａ〜６２ｇ」を順次、点灯させる。具体的には、略長円状に配設された「７個のＬＥＤ６２ａ〜６２ｇ」において、この略長円状を周回する方向に沿って、「７個のＬＥＤ６２ａ〜６２ｇ」が点灯する。
【０１１４】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、図２２（ｂ）に示すように、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【０１１５】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、図２３（ａ）に示すように、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。具体的には、図２３（ｂ）及び（ｃ）に示すように、一方のＬＥＤ６３ａを点灯させ、他方のＬＥＤ６３ｂを消灯させて、「特別図柄表示部６２においてなれる大当り表示」が、「第１の大当り（スタンダード大当りともいい、具体的な内容は後述する。）」であることが示される。また、図２３（ｄ）に示すように、一方のＬＥＤ６３ａを消灯させ、他方のＬＥＤ６３ｂを点灯させて、「特別図柄表示部６２においてなれる大当り表示」が、「第２の大当り（チャンス大当りともいい、具体的な内容は後述する。」であることが示される。
【０１１６】
図２０（ａ）に示すように、２個の一般入賞装置４０、４１は、左下表示装置５０を構成する取付板５１に一体化され、図２２（ａ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図２５参照）が配設されている。また、各一般入賞装置４０、４１、４３、４４は、それらの後方で連通する一般入賞球通過孔（５０３ｃ及び６０３ｃ、５０３ｅ及び６０３ｅ、５０３ｇ及び６０３ｇ、５０３ｈ及び６０３ｈ）に連通している。
【０１１７】
尚、多数の障害釘（図示を省略）は、以上説明した各盤部品との位置バランスを考慮して、遊技領域１１にパチンコ遊技に適するべく、配設されている。尚、遊技盤１０の下方にはアウト口１８が設けられている。また、アウト口１８は、その後方で連通する、アウト球通過孔５０３ｋ、６０３ｋと連通している。更にアウト口１８の下部にはバック球防止部材（図示を省略）が設けられている。そして、遊技領域１１に到達せず戻ってきた遊技球が再び発射位置に戻ることを防止している。一方、ファール球防止部材１５は、内レール１３の先端部に取り付けられている。
【０１１８】
尚、本遊技機１では、前述のように、上皿部５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、中央表示装置２７の表示画面２７ａで行われる表示に変更を加えるために用いることとしてもよい。
【０１１９】
ｃ．特別図柄の表示態様
前述のように、本遊技機１では、当否判定の結果を示す確定表示と、この確定表示の前段階に行われる演出表示（変動表示）とを、２種類の図柄表示装置（右下表示装置６０及び中央表示装置２７）において、同時に実行する。ここで、右下表示装置６０（つまり、特別図柄表示部６２）において表示される特別図柄（ＬＥＤ６２ａ〜６２ｇの点灯と、消灯を用いて示される特別図柄）は、「本図柄」である。そして、本遊技機１において、遊技の基本進行を司る「主制御部２００Ａ（後述する。）」において、その表示態様（少なくとも「停止図柄」と、「変動時間」）が決定される。
【０１２０】
一方、中央表示装置２７の表示画面２７ａにおいて表示される特別図柄は「疑似図柄」であり、「主制御部２００Ａの制御の下で、遊技上の演出を制御する演出制御部２２０Ａ（後述する。）」によって、その変動態様と、停止図柄とが決定される。そして、通常、この「疑似図柄」の変動表示は、本図柄と同一の時間だけ実行され、この「疑似図柄」の停止図柄の「表示内容（大当り、外れ等）」は、本図柄の停止図柄「表示内容（大当り、外れ等）」と矛盾を生じないものとされる。
【０１２１】
次に、これらの特別図柄の表示態様を説明する。先ず、右下表示装置６０（つまり、特別図柄表示部６２）においては、当否判定の結果（判定結果図柄）の表示実行条件が成立する毎に、右下表示装置６０の「特別図柄表示部６２」を用いて、本図柄の変動表示（つまり、ＬＥＤ６２ｂ〜６２ｇを用いた循環表示）を開始する。この変動表示の期間が経過すると、本図柄の停止表示（確定表示）が実行される。そして、本図柄の停止表示（確定表示）の態様には、以下の態様がある。
【０１２２】
ｉ）スタンダード大当り（遊技機にとって、標準型の大当り）
本図柄の停止表示（確定表示）を、図２３（ｂ）に示すように、２個のＬＥＤを点灯させて行うか、図２３（ｃ）に示すように、３個のＬＥＤを点灯させて行う場合である。以下、この「スタンダード大当り」を「第１の大当り」と称することもある。また、このスタンダード大当りの契機となる停止図柄（確定図柄のことで、２個若しくは３個のＬＥＤが点灯させて表示される図柄）を、「第１の大当り図柄」、若しくは、「スタンダード大当り図柄」と称することがある。尚、「特別図柄表示部６２」に、スタンダード大当り図柄が表示される場合、大当り態様表示部６３を構成する「一方のＬＥＤ６３ａ」は点灯状態とされる。
【０１２３】
このスタンダード大当り（第１の大当り）を生ずると、遊技機の遊技状態は、第１の特別遊技状態（第１の大当り状態若しくはスタンダード大当りとも言う。）となり、第１の特別遊技（第１の大当り遊技若しくはスタンダード大当り遊技とも言う。）が実行される。そして、遊技機の遊技状態は、第１の特別遊技状態となると、大入賞装置３１の大入賞口３１ａが入賞容易な状態に開放され、多量の賞球を伴う利益が遊技者に付与される。
【０１２４】
但し、「スタンダード大当り」のうちで、図２３（ｃ）に示すように、３個のＬＥＤを点灯して行われるものは、当否判定の結果が「第１の大当り」であると共に、「確率変動を行うか否かの判定（以下、「確変判定」ということもある。）の結果」も、「当り」であることを示す。一方、「スタンダード大当り」のうちで、図２３（ｂ）に示すように、２個のＬＥＤを点灯して行われるものは、当否判定の結果が「第１の大当り」であるが、「確変判定」の結果は「外れ」であることを示す。以下、本明細書においては、当否判定の結果が、「第１の大当り（つまり、スタンダード大当り）で、しかも、確変判定の結果も当選である場合を「スタンダード確変当り（若しくは、スタンダード確率変動大当り）」と称し、当否判定の結果が、「第１の大当り（つまり、スタンダード大当り）」であるが、確変判定の結果が落選である場合を「スタンダード通常大当り」と称することがある。
【０１２５】
ｉｉ）チャンス大当り（遊技機にとって、非標準型の大当り）
本図柄の停止表示（確定表示）を、図２３（ｄ）に示すように、４個のＬＥＤを点灯させて行う場合である。以下、この「チャンス大当り」を「第２の大当り」と称することもある。また、このチャンス大当りの契機となる停止図柄（確定図柄のことで、４のＬＥＤが点灯させて表示される図柄）を、「第２の大当り図柄」、若しくは、「チャンス大当り図柄」と称することがある。
【０１２６】
このチャンス大当り（第２の大当り）を生ずると、遊技機の遊技状態は、第２の特別遊技状態（第２の大当り状態若しくはチャンス大当り状態とも言う。）となり、第２の特別遊技（第２の大当り遊技若しくはチャンス大当り遊技とも言う。）が実行される。そして、遊技機の遊技状態は、第２の特別遊技状態となると、大入賞装置３１の大入賞口３１ａが入賞困難な状態（第１の大当り遊技状態への移行時に比べて入賞困難な状態）に開放される。但し、チャンス大当り（第２の大当り）においては、「確変判定」の結果が当りであるため、遊技者は、確変状態の実行による利益を得ることができる。尚、「特別図柄表示部６２」に、チャンス大当り図柄が表示される場合、大当り態様表示部６３を構成する「他方のＬＥＤ６３ｂ」は点灯状態とされる。
【０１２７】
ｉｉ）外れ
図２３（ａ）に示すように、「特別図柄表示部６２」に、１個のＬＥＤが点灯すると、当否判定の結果が「外れ」であることを示す。つまり、当否判定の結果が、「スタンダード大当り（第１の大当り）」にも、「チャンス大当り（第２の大当り）」にも該当しないことを示す。この場合、「確変判定」の結果も外れとなる。
【０１２８】
尚、「確変当り（スタンダード確変当り、若しくは、チャンス確変当り）」を生じた場合には、当該「確変当り」に係る大当り遊技遊技状態の終了後に、当該遊技機１の遊技モードが、通常遊技モードから確率変動モードに変更される。そして、遊技機１のモードが、この「確率変動モード」に変更されると、この「確率変動モード」の解除条件が成立するまでの間、判定手段によって「大当り（スタンダード大当り、若しくは、チャンス大当り」の判定結果が下される確率が高確率に変動する。また、本実施では、この「確率変動モードの解除条件」は、大当りの判定結果（スタンダード大当り、若しくは、チャンス大当り）を得ないまま、特別図柄が所定回数、変動するか（つまり、外れ判定が所定回数、繰り返されるか）、あるいは、次回の大当り（スタンダード大当り、若しくは、チャンス大当り）を生ずることで成立する。
【０１２９】
中央表示装置２７においても、当否判定の結果（判定結果図柄）の表示実行条件が成立する毎に、その表示画面２７ａにおいて、疑似図柄の変動表示を開始する。そして、この変動表示の期間が経過すると、疑似図柄の停止表示（確定表示）が実行される。このとき、疑似図柄の停止表示（確定表示）も、前述の本図柄の停止図柄（確定図柄）と同様に、当否判定の結果の表示する。尚、本実施例では、当否判定の結果を、本図柄の停止図柄（確定図柄）と、疑似図柄の停止図柄（確定図柄）とで行うが、本実施例と異なり、「判定結果図柄」を、本図柄の停止図柄（確定図柄）のみで構成してもよい。
【０１３０】
中央表示装置２７の表示画面２７ａにおいては、疑似図柄の変動表示を開始する際に、３つの疑似図柄表示部２７ｂ〜２７ｄが出現し、各疑似図柄表示部２７ｂ〜２７ｄにおいて、「疑似図柄」を用いた変動表示（順次、変更される疑似図柄の表示）と、停止表示（停止した疑似図柄の表示）等がなされる。この疑似図柄の変動表示は、図１８（ｂ）に示すように、「１」〜「９」までの算用数字をこの順で表示した後、再び、「１」〜「９」までの算用数字をこの順で表示することを繰り返す「循環表示」によって構成される。また、疑似図柄表示部２７ｂ〜２７ｄが変動表示を開始するときには、表示画面２７ａのその他の部位によって背景画面表示部２７ｈが表示される。そして、この背景画面表示部２７ｈには、背景を示す図柄（以下、背景図柄という。）を表示したり、この背景画面と共にキャラクタを示す図柄（以下、キャラクター図柄という。）を表示することができる。
【０１３１】
疑似図柄表示部２７ｂ〜２７ｄに、確定表示される確定図柄（判定結果図柄）には、図１９「（ａ）〜（ｄ）に示す態様がある。即ち、図１９（ａ）の「外れを示す停止図柄（判定結果図柄）」と、図１９（ｂ）及び図１９（ｃ）に示すスタンダード大当りを示す停止図柄（判定結果図柄）」と、図１９（ｄ）の「チャンス大当りを示す停止図柄（判定結果図柄）」と、がある。
【０１３２】
このうち、「スタンダード大当りを示す停止図柄」は、「１」〜「９」のうちの何れかの「数字」を３つ並べて構成される。但し、この「スタンダード大当り」が、確変当りである（スタンダード確率変動当りである）場合には、奇数の数字が揃えられ、通常当りである（スタンダード通常当りである）場合には、偶数数字が揃えられる。
【０１３３】
また、「チャンス大当りを示す停止図柄」は、図１９（ｄ）に示すように、３つの疑似図柄表示部２７ｂ〜２７ｄに、左から右に昇順となる数字を並べて（例えば、「１」、「２」、「３」）構成される。更に、「外れを示す停止図柄」は、図１９（ａ）に示すように、３つの疑似図柄表示部２７ｂ〜２７ｄのうちの少なくとも２つに異なる数字を表示して構成される停止図柄のうちで、「チャンス大当りを示す停止図柄」を除いたものである。
【０１３４】
本実施例では、疑似図柄表示部２７ｂ〜２７ｄに確定表示される疑似図柄（以下、「疑似図柄による判定結果図柄」という。）の表示内容と、特別図柄表示部６２に確定表示される本図柄の表示内容（以下、「本図柄による判定結果図柄」という。）とが一致している。つまり、疑似図柄表示部２７ｂ〜２７ｄに確定表示される表示内容が、特別図柄表示部６２に確定表示される表示内容と矛盾することはない。但し、疑似図柄表示部２７ｂ〜２７ｄにおいては、その変動の開始から停止に至るまでの間に、特別図柄表示部６２よりも、派手な演出表示が実行される。つまり、疑似図柄表示部２７ｂ〜２７ｄでは、所謂「リーチ演出」や所謂「再抽選演出」を行う。
【０１３５】
尚、本実施例では、疑似図柄表示部２７ｂ〜２７ｄにおいて、「再抽選演出」を行ってもよい。つまり、疑似図柄表示部２７ｂ〜２７ｄにおいて、疑似図柄の変動表示の後に、一旦、「偽りの判定の結果の内容」を示す疑似図柄を仮停止させる（以下、この仮停止された疑似図柄を「仮確定疑似図柄」という。）。そして、疑似図柄表示部２７ｂ〜２７ｄにおいて、疑似図柄を再度、変動表示した後に、「真実の判定の結果の内容」と一致する内容の疑似図柄（確定疑似図柄）を確定表示してもよい。具体的には、特別図柄表示部６２と、大当り態様表示部６３とを用いて、「スタンダード確率変動当りを示す確定本図柄」が表示されるときに、疑似図柄表示部２７ｂ〜２７ｄにおいて、一旦、「スタンダード通常大当りを示す仮確定疑似図柄」を表示した後に、疑似図柄を再度、変動（再抽選表示ともいう。）させ、最終的に、「スタンダード確率変動当りを示す確定疑似図柄」を表示してもよい。
【０１３６】
また、疑似図柄表示部２７ｂ〜２７ｄにおいて、「再抽選演出」以外の態様の「再変動演出」を行ってもよい。例えば、特別図柄表示部６２と、大当り態様表示部６３とを用いて、「大当り（スタンダード大当り、チャンス大当りの何れでもよい。）を示す確定本図柄」が表示されるときに、疑似図柄表示部２７ｂ〜２７ｄにおいて、一旦、「外れを示す仮確定疑似図柄」を表示した後に、疑似図柄を再度、変動させ、最終的に、「大当りを示す確定疑似図柄」を表示してもよい。更に、再抽選やその他の再変動の実行の可否等は、主制御部２００Ａで抽選してもよいし、演出制御部２２０Ａによって抽選してもよい。
【０１３７】
尚、各請求項に係る発明及び各参考発明において、特別図柄表示部６２の表示態様は、本実施例に例示するものに限定されない。例えば、特別図柄表示部６２も、中央表示装置２７と同様に、２つ又は３つ以上の特別図柄表示領域（識別情報表示領域）を表示可能な構成とする。そして、この特別図柄表示部６２においても、変動表示の途中に、リーチ演出を行ってもよい。また、本実施例では、本図柄を表示するための図柄表示装置（右下表示装置６０）と、疑似図柄を表示するための図柄表示装置（右下表示装置２７）とを別体の図柄表示装置としたが、本図柄及び疑似図柄を同一の図柄表示装置によって表示してもよい。
【０１３８】
ｆ．遊技機１の裏面構造
次に、本実施例の遊技機１の裏面構造について図２４を参照して説明する。つまり、遊技機１の裏面構造は、大きな裏機構盤１０２の上に各種装置が搭載された構造となっており、裏機構盤１０２は、一対のヒンジ１０３によって中枠３に開閉可能に軸支されている。
【０１３９】
裏機構盤１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１４０】
賞球タンク１０５には底部にタンクスイッチが設けられており、球切れを検出することができる。また、賞球タンク１０５と賞球払出装置１０９とは、タンクレール１０６によって接続されている。更に、図２７において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図２７は、図示が煩雑となることを避けるために、振り分け部の表示は省略されている。
【０１４１】
主制御基板ケース、中継端子板や、払出制御基板ケース１１８等の各種基板類は、裏機構盤１０２に回動自在に懸架された図示しない金属板に、着脱自在に装着されている。
【０１４２】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には、下皿部用球通路部材が設けられている。
【０１４３】
（２）制御回路の構成
次に、図２５〜図２７を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１４４】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１４５】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２５〜図２７中の矢印の向きは、データあるいは信号を入出力する方向を表している。また、図２６においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１４６】
主制御部２００Ａ（主制御基板２００）は、普通図柄作動ゲート通過検出スイッチ１６ｓ、始動入賞検出スイッチ１７ｓ、入賞球検出スイッチ３１ｓ、４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイ板３１ｃ、左下表示装置５０、右下表示装置６０に信号を出力することにより、これらの動作を直接制御している。
【０１４７】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示基板２２２やスピーカーＳＰを駆動するアンプ基板２２４が接続されている。
【０１４８】
演出制御部２２０Ａ（演出制御基板２２０）は、装飾用の各種ＬＥＤ基板４ｃ〜４ｉ等を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１４９】
払出制御部２４０Ａ（払出制御基板２４０）は、所謂、貸球や賞球の払い出しに関する各種の制御を司っている。例えば、遊技者が上皿部５に設けられた球貸スイッチ５ｂや返却スイッチ５ｃを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１５０】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１５１】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１５２】
下皿部６に設けられた下皿満タンスイッチ６ｓからの信号も払出制御部２４０Ａ（払出制御基板２４０）に入力されている。このため、下皿部６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。加えて、前面枠４が開放状態となっていることを検出する前面枠スイッチ４ｓからの信号も、払出制御部２４０Ａ（払出制御基板２４０）に入力されている。このため、何らかの理由で前面枠４が明けられた場合には、賞球の払い出し、或いは、遊技球の球貸し等の動作を中止することが可能となっている。また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１５３】
次に、演出制御部２２０Ａ（演出制御基板２２０）に対する信号或いはコマンドの入出力関係について説明する。前述のように、演出制御部２２０Ａ（演出制御基板２２０）には、演出表示基板２２２と、アンプ基板２２４、装飾駆動基板２２６、演出ボタン基板２２８などの各種基板が接続されている。
【０１５４】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰ１〜ＳＰ４で出力する効果音、更には、（ｃ）各種ＬＥＤランプや、「ＬＥＤ基板４ｃ〜４ｉに搭載されたＬＥＤランプ」の点灯若しくは点滅の具体的な態様を決定する。次いで、演出制御部２２０Ａ（演出制御基板２２０）の駆動信号を演出表示基板２２２に出力して、演出用図柄の変動停止表示を行う。このとき、表示されるキャラクタ図柄や背景図柄などの一部データについては、中央表示装置（液晶表示装置）２７、或いは、演出表示基板２２２に内蔵された演出表示ＲＯＭ２７ｒに格納されているデータを使用する。
【０１５５】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプ、「ＬＥＤ基板４ｃ〜４ｉに搭載されたＬＥＤランプ」等の駆動信号を出力することによって、各種ＬＥＤの点灯・点滅動作等を制御する。更に、上皿部５の前面側に設けられた操作スイッチＳＷを、遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１５６】
（３）特別図柄表示ゲームの概要
本遊技機においては、始動入賞を生じ、当否判定の結果に関する「表示実行条件（判定結果図柄の表示実行条件）」が成立すると、図２８〜３１に示すように、右下表示装置６０の特別図柄表示部６２ａ〜６２ｇで点灯表示を開始すると共に、中央表示装置（液晶表示装置）２７の疑似図柄表示部２７ｂ〜２７ｄにおいて、疑似図柄の変動表示（つまり、演出表示）を開始する。そして、所定の変動時間を経過した後、特別図柄表示部６２ａ〜６２ｇと、疑似図柄表示部２７ｂ〜２７ｄとの双方において、特別図柄の停止図柄（つまり、判定結果図柄）が確定表示される。以下、この特別図柄表示ゲームにおいて、特別図柄の停止図柄の種類毎（当否判定の結果毎）に異なる点を説明する。
【０１５７】
ａ．外れの場合
図２８（ａ）及び（ｂ）に示すように、特別図柄の停止図柄によって、当否判定の結果が「外れである」旨の表示がなされると（当否判定の結果が外れである旨の判定結果図柄が表示されると）、この時点で、「一回の始動入賞に起因して開始された一回の特別図柄表示ゲーム」を終了する。ここで、図２８（ａ）では、「リーチ演出を伴わない外れ表示（所謂「通常外れ」）を示し、図２８（ｂ）では、「リーチ演出を伴う表示（所謂「外れリーチ」）」を示している。
【０１５８】
ｂ．スタンダード通常大当りの場合
特別図柄の停止図柄によって、当否判定の結果が「スタンダード通常大当り」である旨を確定表示する場合（当否判定の結果が、スタンダード通常大当りである旨の判定結果図柄が表示され場合）には、図２９に示すように、特別図柄の変動途中に「リーチ表示」が行われる。そして、特別図柄の変動時間を経過した後に、「大当り表示」が行われる。ここで、「大当り表示」は、特別図柄表示部６２ａ〜６２ｇにおいて、２個のランプ装置を点灯すると共に、３つの疑似図柄表示部２７ｂ〜２７ｄにおいて、「ゾロ目の偶数数字」を停止表示して行われる。
【０１５９】
この「スタンダード通常大当り」に係る特別図柄表示ゲームにおいて、「大当り表示」がなされると、「第１の大当りに移行するための移行表示」等を実行した後に、遊技機１の遊技状態が、第１の大当り状態に移行する。そして、この第１の大当り状態に移行すると、開閉板３１ｂ（開閉部材）に、「第１の単位駆動」が施される。この「第１の単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３５秒から選択される時間）維持した後、この開閉板３１ｂ（開閉部材）の姿勢を、閉鎖姿勢に戻すこと、で構成される「開閉板３１ｂ（開閉部材）の開閉動作）」によって構成される。
【０１６０】
この「第１の単位駆動」が、所定のインターバル時間（以下、「第１のインターバル時間」という。）を挟みつつ、計１５回実行されると、遊技機１の遊技状態は、第１の大当り遊技状態から通常遊技状態に戻される。これにより、「一回の始動入賞に起因して開始された一回の特別図柄表示ゲーム」を終了する。そして、この「スタンダード通常大当りに起因する第１の大当り遊技状態」の終了後においては、遊技機１の遊技モードが、通常遊技モードとされる。
【０１６１】
ｃ．スタンダード確率変動当りの場合
特別図柄の停止図柄によって、当否判定の結果が「スタンダード確率変動当り」である旨を確定表示する場合（当否判定の結果が、スタンダード確率変動当りである旨の判定結果図柄が表示され場合）にも、図３０に示すように、特別図柄の変動途中に「リーチ表示」が行われる。そして、特別図柄の変動時間を経過した後に、「大当り表示」が行われる。この「大当り表示」は、特別図柄表示部６２ａ〜６２ｇにおいて、３個のランプ装置を点灯すると共に、３つの疑似図柄表示部２７ｂ〜２７ｄにおいて、「ゾロ目の奇数数字」を停止表示して行われる。
【０１６２】
この「スタンダード確変当り」に係る特別図柄表示ゲームにおいて、「大当り表示」がなされると、「第１の大当りに移行するための移行表示」等を実行した後に、遊技機１の遊技状態が、第１の大当り状態に移行する。そして、この第１の大当り状態においては、「第１の単位駆動」が、「第１のインターバル時間」を挟みつつ、計１５回実行されると、遊技機１の遊技状態は、第１の大当り遊技状態から通常遊技状態に戻される。これにより、「一回の始動入賞に起因して開始された一回の特別図柄表示ゲーム」を終了する。そして、この「スタンダード確率変動当りに起因する第１の大当り遊技状態」の終了後においては、遊技機１の遊技モードが、確率変動モードとされる。
【０１６３】
ｃ．チャンス大当りの場合
特別図柄の停止図柄によって、当否判定の結果が「チャンス大当り」である旨を確定表示する場合（当否判定の結果が、チャンス大当りである旨の判定結果図柄が表示され場合）には、図３１に示すように、「リーチ表示」を行った後、「大当り表示（チャンス大当り図柄を用いた大当り表示）」が行われる。この「大当り表示」は、特別図柄表示部６２ａ〜６２ｇにおいて、４個のランプ装置を点灯すると共に、３つの疑似図柄表示部２７ｂ〜２７ｄにおいて、「左から右に昇順となる数字」を停止表示して行われる。
【０１６４】
この「大当り表示」がなされると、遊技機１の遊技状態が、第２の大当り状態に移行する。そして、この第２の大当り状態に移行すると、開閉板３１ｂ（開閉部材）に、「第２の単位駆動」が施される。この「第２の単位駆動」は、開閉板３１ｂ（開閉部材）の姿勢を、「閉鎖姿勢」から、「開放姿勢」に移行させ、この開放姿勢を、「第１の時間よりも短い第２の時間（例えば、０．１秒〜０．３秒から選択される時間）」維持した後、この開閉板３１ｂ（開閉部材）の姿勢を、閉鎖姿勢に戻すこと、で構成される「開閉板３１ｂ（開閉部材）の開閉動作）」によって構成される。
【０１６５】
そして、この「第２の単位駆動」が終了すると、遊技機１の遊技状態は、第２の大当り遊技状態から通常遊技状態に戻される。これにより、「一回の始動入賞に起因して開始された一回の特別図柄表示ゲーム」を終了する。そして、この「チャンス大当りに起因する第２の大当り遊技状態」の終了後においては、遊技機１の遊技モードが、確率変動モードとされる。尚、本実施例では、個々の第２の単位駆動のために費やされる時間（第１の時間）は、個々の第１の単位駆動のために費やされる時間（第１の時間）よりも短く設定されている。しかも、「第２の大当り遊技状態の間に実行される第２の単位駆動の回数」は、「第１の大当り遊技状態の間に実行される第１の単位駆動の回数」よりも少なく設定されている。このため、「第２の大当り遊技状態」の実行中において可変入賞装置３１へ遊技球が入賞する確率（前述の「第２の確率」）は、「第１の大当り遊技状態」の実行中において可変入賞装置３１へ遊技球が入賞する確率（前述の「第１の確率」）に比べて低くされている。そして、本実施例では、第２の時間が「ごく短時間（０．１秒〜０．３秒から選択される時間）」に設定されると共に、「第２の単位駆動」の「繰り返し実行回数」が最小回数（２回）に設定されている。このため、「第２の確率」は特に低くされ、遊技球の入賞は、ごく希にしか生じない。
【０１６６】
（４）実施例の効果
実施例の遊技機１では、前方板状部５００の後面部（裏面部）５００ｂに、後方板状部６００を着脱自在に組み付けた積層体を用いて遊技盤１０を構成する。そして、この遊技盤１０の後面部（裏面部）１０ｂに、中央表示装置（画像表示装置）２７を固着する。このため、本実施例によると、遊技盤１０と、この遊技盤２０の後面部１０ｂに一体化された中央表示装置（画像表示装置）２７と、を遊技機１に組み込む際に、「特別な構造（レール部等を備える特別な構造）の中枠３」が必要とされない。
【０１６７】
このため、パチンコホールにおいて、本実施例に係る中枠３を転用しつつ、「機種変更」を円滑に行うことができる。例えば、実施例の遊技機１を、「別の透明盤型の遊技機」に機種変更する場合には、「本実施例の中枠３」から「本実施例の遊技盤１０及び中央表示装置（画像表示装置）２７の一体品」を取り外した後、図３２（ａ）に示すように、この「本実施例の中枠３」に対して、当該「別の透明盤型の遊技機を構成する遊技盤１０Ｅ及び中央表示装置（画像表示装置）２７Ｅの一体品」を組み込めばよい。
【０１６８】
また、実施例の遊技機１を、「一般型の遊技機」に機種変更する場合には、「本実施例の中枠３」から「本実施例の遊技盤１０及び中央表示装置（画像表示装置）２７の一体品」を取り外した後、図３２（ｂ）に示すように、この「本実施例の中枠３」に対して、当該「一般型の遊技機を構成する遊技盤１０」を組み込めばよい。この場合、遊技盤１０に装着された中央装置９００Ｆに、中央表示装置（画像表示装置）９２７Ｆが組み込まれるが、この中央表示装置（画像表示装置）９２７Ｆの表示画面９２７ａのサイズは、本実施例の中央表示装置（画像表示装置）２７の表示画面２７ａのサイズよりも遙かに小さくされる。
【０１６９】
更に、実施例の遊技機１を、「別の透明盤型の遊技機」に機種変更する際に、図３３に示すように、後方板状部６００の交換によって、この機種変更に対処することもできる。この場合、後方板状部５００を、「機種変更後の遊技盤を構成する部品」として引き続き使用できる。よって、本実施例によると、「透明盤型の遊技機を構成する遊技盤１０の構成部材」の汎用性を高めることができる。尚、この場合、装飾部材６２０のみを取り換えて、ベース部材６１０の転用をも図ることができる。かかる態様では、中央表示装置２７をも、転用することができる。
【０１７０】
また、本実施例においては、中央表示装置２７を遊技盤１０の裏面部１０ｂに直接、固着するため、中央表示装置２７の表示画面２７ａを遊技者の視線に近づけることができる。このため、遊技者は、表示画面２７ａによって、より迫力のある画像を楽しむことができる。
【０１７１】
更に、本実施例においては、左側のワープ通路（５０３Ｒ、２１ｉ、７０、５０３Ｔ）、及び、右側のワープ通路（５０３Ｓ、２１ｋ、７０、５０３Ｕ）が透明な素材で構成される。しかも、左側のワープ通路（５０３Ｒ、２１ｉ、７０、５０３Ｔ）中間部（左側のワープ部材７０の中間部）と、右側のワープ通路（５０３Ｓ、２１ｋ、７０、５０３Ｕ）の中間部（左側のワープ部材７０の中間部）と、が貫通部６１１内を通過するため、ワープ通路（ワープ部材７０）に奥行きを生じさせることができる。加えて、これらのワープ通路の中間部が、表示画面２７ａに近い位置を通過する。更に、ワープ通路（ワープ部材７０）を通過する遊技球が、一端、表示画面２７ａに近づいた後、表示画面２７ａから遠ざかるという、斬新な挙動を示す。このため、本実施例の遊技機１によると、遊技者の興趣が高められる。
【０１７２】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１７３】
つまり、ベース部材６１０の構成素材を、本実施例で例示する樹脂に限定されない。例えば、図３４（ａ）の変形例１に示す木材（合板等）や、図３４（ｂ）の変形例２に示す金属等であってもよい。
【０１７４】
また、図３５の変形例３に示すように、内側レール１５及び外側レール１４を、金属板で構成することもできる。つまり、変形例３の外側レール１２及び内側レール１３は、金属製で、長尺な略帯状に構成されるレール本体８５０と、このレール本体８５０の後端面（遊技盤１０の前面部１０ａと対向する面である。）から突出する固定片８６０と、この固定片８６０を被覆する樹脂製の被覆部材８７０と、を備える構成とする。
【０１７５】
尚、この変形例３では、この被覆部材８７０を、ゴム、若しくは、熱可塑性エラストマー等の弾性に優れた素材で構成することもできる。また、この変形例３では、固定用片８６０に、アンカー部８６１（外径が段差状に大きくする部分等）を設け、固定用片８６０の被覆部材８７０からの抜け止めを図ることが望ましい。
【０１７６】
この変形例３では、レール固定穴（レール保持穴）５０３ｍに、被覆部材８７０で被覆された固定片８６０が嵌合される。この際、被覆部材８７０の外径が、レール固定穴５０３ｍの内径よりも僅かに大きくされるため、固定片８６０を被覆する被覆部材８７０は、僅かに圧縮変形されつつ、レール固定穴５０３ｍに圧入される。
【０１７７】
この変形例３を利用すると、金属製の外側レール１２及び内側レール１３を、樹脂製の前方板状部５００に対して強固に固定することができる。つまり、金属製の固定片８６０を、レール固定穴（レール保持穴）５０３ｍに対して、そのまま嵌合するだけの場合、前方板状部５００が固定片８６０を十分に強固な状態で保持することは困難である。つまり、金属製の固定片８６０を、樹脂製の前方板状部５００に嵌合した場合、外側レール１２や内側レール１３に衝撃が加わると、この衝撃によって、固定片８６０が、レール固定穴（レール保持穴）５０３ｍから抜け出るおそれがある。
【０１７８】
これに対して、変形例３では、被覆部材８７０を樹脂で構成すると共に、被覆部材８７０をレール固定穴５０３ｍに圧入するため、被覆部材８７０の外周面と、レール固定穴５０３ｍの内周壁との間に十分な大きさの摩擦力が働く。このため、外側レール１２や内側レール１３に衝撃っても、この衝撃によって、被覆部材８７０が、レール固定穴（レール保持穴）５０３ｍから抜け出る可能性は低くなる。よって、変形例３を利用すると、金属製の外側レール１２及び内側レール１３を、樹脂製の前方板状部５００に対して強固に固定することができる。
【０１７９】
尚、変形例３によると、「固定片８６０の抜け止め」のために、この固定片８６０に施すべき加工を少なくできる。つまり、「固定片８６０の抜け止め」を図るために、「固定片８６０」の表面を凹凸面とし、この表面の面粗度を高める等の加工を施すことが必要とされない。
【産業上の利用可能性】
【０１８０】
本発明は、遊技機を製造、販売等する分野において利用できる。
【図面の簡単な説明】
【０１８１】
【図１】本発明の実施例に係る遊技機を示す斜視図である。
【図２】本発明の実施例に係る遊技機において、遊技盤を示す正面図である。
【図３】本発明の実施例に係る遊技機において、中枠を説明するための概略的な説明図である。
【図４】本発明の実施例に係る遊技機において、中枠を説明するための概略的な背面図である。
【図５】（ａ）は図４の１−１断面図、（ｂ）は中枠が遊技盤を保持した状態を説明するための説明図、（ｃ）は図４の２−２断面図、（ｄ）は中枠が遊技盤を保持した状態を説明するための説明図である。
【図６】中枠が遊技盤を保持した状態を説明するための概略的な背面図である。
【図７】本発明の実施例に係る遊技機において、遊技盤を示す正面図である。
【図８】本発明の実施例に係る遊技機において、遊技盤を示す斜視図である。
【図９】図７の遊技盤を構成する前方板状部の正面図である。
【図１０】（ａ）及び（ｂ）は内側レール及び外側レールの固定方法を説明するための説明図である。
【図１１】図７の遊技盤を構成するベース部材の正面図である。
【図１２】図７の遊技盤を構成するベース部材の斜視図である。
【図１３】（ａ）は流下経路変更部材の正面図、（ｂ）は図１３（ａ）の５−５断面図である。
【図１４】図７のａ−ａ断面図である。
【図１５】図７のｂ−ｂ断面図である。
【図１６】本発明の実施例に係る遊技機において、遊技盤を示す背面図である。
【図１７】中央表示装置（画像表示装置）の固着方法を説明するための説明図である。
【図１８】（ａ）は、本発明の実施例において、中央表示装置の表示画面を示す概略的な正面図であり、（ｂ）は疑似図柄の変動態様を示す説明図である。
【図１９】（ａ）〜（ｄ）は、本実施例に係る遊技機において、疑似図柄の停止図柄の態様を示す概略的な説明図である。
【図２０】（ａ）は本発明の実施例において、左下表示装置の概略的な正面図であり、（ｂ）は左下表示装置の表示態様を示す説明図である。
【図２１】（ａ）〜（ｃ）は左下表示装置の表示態様を示す説明図である。
【図２２】（ａ）は本発明の実施例において、右下表示装置の概略的な正面図であり、（ｂ）は左下表示装置の表示態様を示す説明図である。
【図２３】（ａ）〜（ｄ）は右下表示装置の表示態様を示す説明図である。
【図２４】本発明の実施例に係る遊技機を示す裏面図である。
【図２５】本発明の実施例に係る電子制御装置を示すブロック図である。
【図２６】本発明の実施例に係る電子制御装置を示すブロック図である。
【図２７】本発明の実施例に係る電子制御装置を示すブロック図である。
【図２８】本発明の実施例に係る遊技機によって実行される図柄表示ゲームを説明するための説明図である。
【図２９】本発明の実施例に係る遊技機によって実行される図柄表示ゲームを説明するための説明図である。
【図３０】本発明の実施例に係る遊技機によって実行される図柄表示ゲームを説明するための説明図である。
【図３１】本発明の実施例に係る遊技機によって実行される図柄表示ゲームを説明するための説明図である。
【図３２】（ａ）及び（ｂ）は本実施例において機種変更の態様を説明するための説明図である。
【図３３】本実施例において機種変更の態様を説明するための説明図である。
【図３４】（ａ）は変形例１を説明するための説明図、（ａ）は変形例２を説明するための説明図である。
【図３５】（ａ）及び（ｂ）は変形例３を示す説明図である。
【符号の説明】
【０１８２】
１；遊技機（弾球遊技機）、
２；外枠、
３；中枠（ベース枠部材）、
１０；遊技盤、
１１；遊技領域、
１２；外側レール、
１３；内側レール、
５００；前方板状部、
６００；後方板状部、
６１０；ベース部材、
６１１；貫通部、
６２０；装飾シート。
【図１】
0004621931.tif 000002
【図２】
0004621931.tif 000003
【図３】
0004621931.tif 000004
【図４】
0004621931.tif 000005
【図５】
0004621931.tif 000006
【図６】
0004621931.tif 000007
【図７】
0004621931.tif 000008
【図８】
0004621931.tif 000009
【図９】
0004621931.tif 000010
【図１０】
0004621931.tif 000011
【図１１】
0004621931.tif 000012
【図１２】
0004621931.tif 000013
【図１３】
0004621931.tif 000014
【図１４】
0004621931.tif 000015
【図１５】
0004621931.tif 000016
【図１６】
0004621931.tif 000017
【図１７】
0004621931.tif 000018
【図１８】
0004621931.tif 000019
【図１９】
0004621931.tif 000020
【図２０】
0004621931.tif 000021
【図２１】
0004621931.tif 000022
【図２２】
0004621931.tif 000023
【図２３】
0004621931.tif 000024
【図２４】
0004621931.tif 000025
【図２５】
0004621931.tif 000026
【図２６】
0004621931.tif 000027
【図２７】
0004621931.tif 000028
【図２８】
0004621931.tif 000029
【図２９】
0004621931.tif 000030
【図３０】
0004621931.tif 000031
【図３１】
0004621931.tif 000032
【図３２】
0004621931.tif 000033
【図３３】
0004621931.tif 000034
【図３４】
0004621931.tif 000035
【図３５】
0004621931.tif 000036